(57)【要約】無線通信システムにおける中継器のカバレージ下の端末の位置を決定する技術である。ある特徴において、識別コードが各中継器に対して送信され、その中継器を明瞭に識別するためにその端末（またはＰＤＥ）によって使用される。システム内の中継器に対する識別コードは、中継器の識別のためにとくにリザーブされた規定されたオセットでＰＮシーケンスにより構成されていることができる。別の特徴においては、各中継器に対する識別コードはスペクトラム拡散信号を使用して送信され、このスペクトラム拡散信号は、システムの性能に対する影響が最小になるように設計されており、順方向の変調された信号と同様にその端末により再生可能である。このようにして、端末が識別子信号を再生するのに追加のハードウェアは必要ない。１つの特定の設計において、スペクトラム拡散識別子信号はＩＳ−９５  ＣＤＭＡ規格にしたがって発生され、これに従う。【選択図】図１Ａ
2004532576.tif 000002
【特許請求の範囲】
【請求項１】
送信されたデータを含んでいる第１の信号と、送信源に割当てられた識別コードを含んでいる第２の信号とを送信源から受信し、
第２の信号を処理して識別コードを再生し、
再生された識別コードに基づいて装置の位置評価を決定するステップを含んでいる無線通信システムにおける装置の位置を決定する方法。
【請求項２】
送信源は無線通信システムにおける中継器である請求項１記載の方法。
【請求項３】
第２の信号はスペクトラム拡散信号である請求項１記載の方法。
【請求項４】
スペクトラム拡散信号はＣＤＭＡ規格に従ったものである請求項３記載の方法。
【請求項５】
スペクトラム拡散信号はＩＳ−９５ＣＤＭＡ規格に従ったものである請求項４記載の方法。
【請求項６】
識別コードは特定のオフセットにおける擬似雑音（ＰＮ）シーケンスを含んでいる請求項１記載の方法。
【請求項７】
識別コードは複数の擬似雑音（ＰＮ）シーケンスを含んでいる請求項１記載の方法。
【請求項８】
複数のＰＮシーケンスは、特定のオフセットのものである請求項７記載の方法。
【請求項９】
識別コードは、第１の信号の遅延されて減衰されたバージョンを含んでいる請求項１記載の方法。
【請求項１０】
識別コードは、特定のマルチパスプロファイルを表す第１の信号の複数の遅延されて減衰されたバージョンを含んでいる請求項１記載の方法。
【請求項１１】
識別コードは、第１の信号の周波数とは異なった周波数で送信された信号を含んでいる請求項１記載の方法。
【請求項１２】
識別コードは、第１の信号の周波数とは異なった周波数において特定の送信オフセットで送信された信号を含んでいる請求項１記載の方法。
【請求項１３】
識別コードは１以上の特定のゴールドコードシーケンスを含んでいる請求項１記載の方法。
【請求項１４】
各ゴールドコードシーケンスは特定のオフセットのものである請求項１３記載の方法。
【請求項１５】
再生された識別コードにしたがって位置決定用の測定値のセットを調節するステップをさらに含んでいる請求項１記載の方法。
【請求項１６】
装置の位置評価は、送信源のカバレージエリア内の特定の位置である請求項１記載の方法。
【請求項１７】
装置の位置評価は、送信源のカバレージエリアのほぼ中心である請求項１６記載の方法。
【請求項１８】
無線通信システムはＣＤＭＡシステムである請求項１記載の方法。
【請求項１９】
無線通信システムはＴＤＭＡシステムである請求項１記載の方法。
【請求項２０】
第２の信号はスペクトラム拡散信号である請求項２記載の方法。
【請求項２１】
識別コードは、特定のオフセットにおける擬似雑音（ＰＮ）シーケンスである請求項２記載の方法。
【請求項２２】
装置の位置評価は、中継器のカバレージエリア内の特定の位置である請求項２記載の方法。
【請求項２３】
送信されたデータを含んでいる第１の信号を送信源において受信し、
送信源に割当てられた識別コードを含んでいる第２の信号を送信源において発生し、
第１および第２の信号を結合して、結合された信号を生成し、
結合された信号を送信源から送信するステップを含んでいる無線通信システムにおける装置の位置を評価するための使用に適した信号を発生する方法。
【請求項２４】
第１の信号を処理してタイミング基準を再生するステップをさらに含んでおり、
この再生されたタイミング基準にしたがって第２の信号が発生される請求項２３記載の方法。
【請求項２５】
第１の信号を処理して、第１の信号の搬送波信号に対する周波数基準を再生するステップをさらに含んでおり、
この再生された周波数基準にしたがって第２の信号がさらに発生される請求項２４記載の方法。
【請求項２６】
送信源は通信システム中の中継器である請求項２３記載の方法。
【請求項２７】
中継器装置内において結合された信号を調整するステップをさらに含んでおり、
中継器装置からのこの調整された信号は中継器から送信される請求項２６記載の方法。
【請求項２８】
中継器装置内において第１の信号を調整するステップをさらに含んでおり、
第２の信号は、中継器装置内において調整された第１の信号と結合される請求項２６記載の方法。
【請求項２９】
識別コードは、特定のオフセットにおける擬似雑音（ＰＮ）シーケンスである請求項２３記載の方法。
【請求項３０】
識別コードに対して使用されるＰＮシーケンスのオフセットは複数の可能なオフセットの１つであり、送信源の識別のためにリザーブされる請求項２９載の方法。
【請求項３１】
識別コードに対して使用されるＰＮシーケンスのタイミングは、第１の信号中の送信されたデータを拡散するために使用されるＰＮシーケンスのタイミングとほぼ整列されている請求項２９載の方法。
【請求項３２】
第２の信号の搬送波周波数は第１の信号の搬送波周波数と近似している請求項２３記載の方法。
【請求項３３】
第２の信号はスペクトラム拡散信号である請求項２３記載の方法。
【請求項３４】
第２の信号の振幅は、第１の信号の振幅より低い特定のレベルに設定されている請求項２３記載の方法。
【請求項３５】
無線通信システムは、ＣＤＭＡシステムである請求項２３記載の方法。
【請求項３６】
送信されたデータを含んでいる第１の信号を送信源において受信して処理し、
送信源に割当てられた識別コードを含んでいる第２の信号を発生し、
第１の信号を送信源から送信し、
第２の信号を通信システム内の複数の端末に送信するステップを含んでいる無線通信システムにおける端末の位置を評価するための使用に適した信号を発生する方法。
【請求項３７】
第２の信号は異なったオフセットにおける、および特定のマルチパスプロファイルを表す複数の信号を含んでいる請求項３６記載の方法。
【請求項３８】
第２の信号は、複数のオフセットにおける、および複数の特定のマルチパスプロファイルを表す複数の擬似雑音（ＰＮ）シーケンスを含んでいる請求項３６記載の方法。
【請求項３９】
送信源に割当てられた特定の識別コードに対する表示を端末において受信し、
送信されたデータを含む第１の信号と、識別コードを含む第２の信号とを送信源から受信し、
第２の信号を処理して識別コードを再生するステップを含んでおり、
再生された識別コードは送信源識別するために使用され、端末の位置は識別コードに関連した位置評価に基づいて評価される無線通信システムにおける端末の位置を決定する方法。
【請求項４０】
識別コードのリストは、サーチされるべきコードの隣接リストの中に含まれている請求項３９記載の方法。
【請求項４１】
識別コードのリストは、位置決定に関連した呼に応答して端末に送られる請求項３９記載の方法。
【請求項４２】
識別コードのリストは、放送チャンネルを介して端末に放送される請求項３９記載の方法。
【請求項４３】
識別コードのリストは、端末によりリクエストされたときにその端末に送られる請求項３９記載の方法。
【請求項４４】
通信システムの順方向および逆方向の両リンクにおいて信号を受信し、調整し、再送信するように動作する第１の装置と、
第１の装置に接続された第２の装置とを具備し、
この第２の装置は、
順方向リンクにおいて送信されたデータを含む第１の信号を受信し、処理するように動作する第１のモジュールと、
送信装置に割当てられた識別コードを含む第２の信号を発生するように動作する第２のモジュールと、
送信装置から送信するために第１および第２の信号を結合して結合された信号を提供するように動作する第３のモジュールとを備えている無線通信システムにおける送信装置。
【請求項４５】
第１のモジュールはさらに第１の信号を処理してタイミング基準を再生するように動作し、この再生されたタイミング基準にしたがって第２の信号が発生される請求項４４記載の伝送装置。
【請求項４６】
第１のモジュールはさらに第１の信号を処理して第１の信号の搬送波信号に対する周波数基準を再生するように動作し、この再生された周波数基準にしたがって第２の信号がさらに発生される請求項４５記載の伝送装置。
【請求項４７】
中継器によって送信された信号と、および中継器により送信されなかった信号とを受信することのできる受信機と、
受信された信号が中継器により送信されたか否かを決定し、さらに、通信端末の位置を決定するときには、中継器から受信された信号が使用されないことを確実にすることが可能なプロセッサとを具備している通信端末。
【請求項４８】
中継器によって送信された信号と中継器により送信されなかった信号とを受信し、
受信された信号が中継器により送信されたか否かを決定し、
通信端末の位置を決定するときには中継器から受信された信号が使用されないことを確実にするステップを含んでいる通信システムの中継器によって送信された信号が位置決定に影響を与えないようにする方法。
【請求項４９】
受信された信号が中継器により送信されたか否かを決定するステップは、中継器により信号中に挿入された識別コードの検出に基づいて行われる請求項４８記載の方法。
【請求項５０】
中継器によって送信された信号と中継器により送信されなかった信号とを受信し、
受信された信号が中継器により送信されたか否かを決定する識別コードを含む受信された信号に関する情報を送信し、
通信端末の位置を決定するときには中継器から受信された信号に関する情報が使用されないことを確実にするステップを含んでいる通信システムの中継器によって送信された信号が位置決定に影響を与えることを阻止する方法。
【請求項５１】
送信されたデータを含む第１の信号と、第１の送信源に割当てられた第１の識別コードを含む第２の信号とを第１の送信源から受信し、第１の識別コードが近くの送信源に対して使用された識別コードのリストから選択され、
第２の信号を処理して第１の識別コードを再生し、
再生された第１の識別コードに基づいて装置の位置評価を決定するステップを含んでいる無線通信システムにおける装置の位置を決定する方法。
【請求項５２】
第１の識別コードが第１の送信源から受信されたのか、あるいは別の送信源から受信されたのかの決定は、幾何学的制約に基づいて行われる請求項５１記載の方法。
【請求項５３】
幾何学的制約は、到達時間差（ＴＤＯＡ）測定値に関連している請求項５２記載の方法。
【請求項５４】
別の送信源により中継されないリストの中の識別コードだけが第１の送信源に対して第１の識別コードとして使用できる請求項５１記載の方法。
【請求項５５】
第１の識別コードはリスト中に複数の識別コードを含んでいる請求項５１記載の方法。
【請求項５６】
第１の識別コードに対する複数の識別コードは、異なったオフセットと関連している請求項５５記載の方法。
【請求項５７】
近くの送信源は隣接した基地局であり、リスト中の識別コードはその隣接した基地局に割当てられたＰＮシーケンスである請求項５１記載の方法。
【請求項５８】
第１の送信源に割当てられた識別コードは、特定の遅延量だけ第１の信号に関して遅延される請求項５１記載の方法。
【請求項５９】
遅延の量は、第１の識別コードが第１の送信源から受信されたのか、あるいは別の送信源から受信されたのかを決定することを可能にするように選択される請求項５８記載の方法。
【請求項６０】
送信されたデータを含む第１の信号と、第１の送信源に割当てられた第１の識別コードを含む第２の信号とを第１の送信源から受信するように動作する受信機を備えており、第１の識別コードが近くの送信源に対して使用された識別コードのリストから選択され、
第２の信号を処理して第１の識別コードを再生するように動作するプロセッサを備えており、再生された第１の識別コードに基づいて端末の位置評価が決定される無線端末。
【請求項６１】
第１の識別コードが第１の送信源から受信されたのか、あるいは別の送信源から受信されたのかの決定は、幾何学的制約に基づいて行われる請求項６０記載の方法。
【請求項６２】
送信されたデータを含む第１の信号送信源から受信し、その信号はさらに、送信源に割当てられた識別コードに基づいて処理され、
信号を処理して識別コードを再生し、
再生された識別コードに基づいて装置の位置評価を決定するステップを含んでいる無線通信システムにおける装置の位置を決定する方法。
【請求項６３】
信号は識別コードによって変調される請求項６２記載の方法。
【請求項６４】
識別コードは、送信源の識別のために使用されるＰＮシーケンスである請求項６２記載の方法。
【請求項６５】
識別コードは、データをスペクトル的に拡散するために別の送信源によって使用されるＰＮシーケンスである請求項６２記載の方法。
【請求項６６】
送信されたデータを含む第１の信号を受信して処理し、送信装置に割当てられた識別コードを含む第２の信号を発生するように動作する第１の装置と、
第１の装置に結合されており、送信装置からの送信のために第１の信号を受信して第１の信号を第２の信号で変調し、変調された信号を提供するように動作する第２の装置とを具備し、識別コードが位置決定のために使用される無線通信システムにおける送信装置。
【請求項６７】
送信されたデータを含む第１の信号を送信源から受信するように動作する受信機を備え、第１の信号はさらに、送信源に割当てられた識別コードを含む第２の信号により変調され、受信機はさらに、第１の信号を処理して第２の信号を再生するように動作し、
さらに、第２の信号を処理して識別コードを再生するように動作するプロセッサを備え、端末の位置評価は再生された識別コードに基づいて決定される無線端末。
【発明の詳細な説明】
【技術分野】
【０００１】
本発明は、一般に位置決定に関し、とくに、中継器のような送信源に割当てられた識別コードに基づいて無線通信システムにおける端末の位置の評価を提供する技術に関する。
【背景技術】
【０００２】
端末の位置を突きとめるための一般的な技術は、既知の位置で多くの送信機によって送信された信号がその端末に到達するために要した時間の量を決定することである。既知の位置における複数の送信機から信号を供給する１つのシステムは、よく知られているグローバルポジショニング衛星（ＧＰＳ）システムである。ＧＰＳシステム内の衛星はＧＰＳマスタープランにしたがって正確な軌道に配置される。ＧＰＳ衛星の位置は、衛星自身によって送信された種々の情報セット（一般に、“アルマナック(almanac)”および“天体暦(ephemeris)”として知られている）によって決定されることができる。既知の地上の固定位置における送信機（たとえば、基地局）から信号を供給する別のシステムは、無線（たとえば、セルラー電話）通信システムである。
【０００３】
多くの無線通信システムは中継器を使用して、このシステム内の指定されたエリアをカバーし、あるいはこのシステムのカバレージを拡張する。たとえば、中継器は、フェーディング条件（すなわち、システム内の“穴(hole)”）のために基地局によりカバーされない特定のエリアをカバーするために使用されてもよい。中継器はまた、基地局のカバレージエリア外である村落エリアにカバレージを拡張する（たとえば、高速道路に沿って）ために使用されてもよい。中継器は、順方向リンク（すなわち、基地局から移動装置までの通路）および逆方向リンク（すなわち、移動装置から基地局までの通路）の両方で信号を受信し、調整し、再送信する。
【０００４】
１以上の中継器が使用されるシステム内においてある端末の位置を決定するときに、種々の問題に直面する。典型的に、単一の基地局からの信号は中継器によって処理され、遅延を伴なって比較的高いパワーで再送信される。中継された信号の高いパワーと中継器のカバレージエリアに通常関連した隔離(isolation)との組合せは、端末が別の基地局から別の信号を受信することをしばしば妨げる。さらに、中継器が使用される多くの場合において（たとえば、建造物内、トンネル、地下鉄等において）、ＧＰＳ衛星からの信号のパワーレベルは端末による受信に対して不十分である。この場合、限られた数の信号（おそらく、中継器から１つの信号だけ）が端末の位置を決定するための使用に利用されてもよい。さらに、中継器によって導入された付加的な遅延は、ＴＤＯＡ測定値だけでなく往復遅延／到達時間（ＲＴＤ／ＴＯＡ）測定値に歪を与える可能性が高く、したがってこれらの測定値に基づく位置評価が不正確なものになる。
【０００５】
図１Ａは、開示されている方法および装置にしたがって中継器を使用する無線通信システム100の概略図である。このシステム100は、米国電気通信工業会／電子機械工業会（ＴＩＡ／ＥＩＡ）により公表されたＩＳ−９５のような一般に知られている１以上の工業規格、あるいはＷ−ＣＤＭＡ、ｃｄｍａ２０００またはその組合せのようなシステムに対する別のこのような工業規格に従うように設計されてもよい。システム100はいくつかの基地局104を含んでいる。各基地局は特定のカバレージエリア102にサービスする。図１Ａには簡明化のために３つの基地局104a乃至104cしか示されていないが、当業者は、典型的にこのようなシステム内にはもっと多くのこのような基地局が存在していることを認識するであろう。この開示のために、基地局およびそのカバレージエリアはまとめて“セル”と呼ばれる。
【０００６】
１以上の中継器114は、そうでなければ基地局によりカバーされない領域（すなわち、フェーディング条件のために、図１Ａに示されている領域112aのような）をカバーし、あるいはシステムのカバレージ（領域112bおよび112cのような）を拡張するためにシステム100によって使用されてもよい。たとえば、中継器は一般に、比較的低い費用でセルラーシステムに対する屋内カバレージを改善するために使用されている。各中継器114は、“サービスしている”基地局104に無線または有線リンク（たとえば、同軸または光ファイバケーブル）を介して直接的にあるいは別の中継器を通って結合する。特定のシステム設計に応じて、システム内の任意の数の基地局が中継器されることができる。
【０００７】
システム内には、典型的にいくつかの端末106が分散して位置している（図１Ａには簡明化のために１つの端末しか示されていない）。各端末106は、ソフトハンドオフがシステムによってサポートされるか否か、端末が実際にソフトハンドオフ中であるか否かに応じて、任意の時間に順方向および逆方向リンクで１以上の基地局と通信してもよい。“ソフトハンドオフ”とは、端末が２以上の基地局と同時に通信している状態のことであることは当業者によって理解されるであろう。
【０００８】
いくつかの基地局104は典型的に、１つの基地局制御装置（ＢＳＣ）120に結合される。このＢＳＣ120は、基地局104に対する通信を調整する。端末の位置を決定するために、基地局制御装置120はまた位置決定エンティティ（ＰＤＥ）130に結合されることができる。このＰＤＥ130は、以下詳細に説明するように、時間測定値および、または識別コードを端末から受取って、位置決定に関連した制御およびその他の情報を提供する。
【０００９】
位置決定のために、端末はいくつかの基地局からの信号送信の到達時間を測定してもよい。ＣＤＭＡネットワークに対して、これらの到達時間は、順方向リンクにより端末に送信する前に擬似雑音（ＰＮ）コードのデータを拡散するために基地局により使用されるそれらＰＮコードの位相から決定されることができる。その後、端末によって検出されたＰＮ位相はＰＤＥに報告されてもよい（たとえば、ＩＳ−８０１シグナリングによって）。その後、ＰＤＥは報告されたＰＮ位相測定値を使用して擬似範囲を決定し、この擬似範囲は、その後、端末の位置を決定するために使用される。
【００１０】
端末の位置はまた、信号到達時間（すなわち、到達時間（ＴＯＡ））が基地局104とグローバル・ポジショニング・システム（ＧＰＳ）衛星124との任意の組合せに対して測定されるハイブリッド方式を使用して決定されてもよい。ＧＰＳ衛星から得られた測定値は、主測定値として、あるいは基地局から得られた測定値を補助するために使用されることができる。ＧＰＳ衛星からの測定値は典型的に、基地局からのものより正確である。しかしながら、典型的にＧＰＳ信号を受信するには衛星に対する明瞭な視線が必要とされる。したがって、位置決定のためにＧＰＳ衛星を使用することは一般に、障害物が存在しない屋外環境に制限される。ＧＰＳ信号は典型的に、屋内あるいは樹木の葉または建造物のような障害物が存在する別の環境において受信されることができない。しかしながら、ＧＰＳは広大なカバレージを有しており、４以上のＧＰＳ衛星は、このような障害物が存在しないほとんど全ての場所から受信されることができる。
【００１１】
対照的に、基地局は典型的に居住エリア内に配置され、それらの信号はいくつかの高層建造物および障害物を貫通することができる。したがって、基地局は、このような信号を受信および、または送信することのできる装置の位置を決定するために都市においておよび潜在的に建造物内で使用されることができる。しかしながら、基地局から得られた測定値は典型的に、ＧＰＳ衛星からのものより正確さが劣る。これは、“マルチパス”として知られている現象のために特定の基地局からの多数の信号が端末で受信されるためである。マルチパスとは、送信機と受信機との間の多くの伝送路を介して信号が受信される状況のことである。このような多くの通路は、高層建造物や山等の種々の物体から反射した信号によって発生される。最良の場合では、信号はまた送信機から受信機までの直接通路（直線）で受信されることを認識すべきである。しかしながら、これは事実とは限らない。
【００１２】
ハイブリッド方式において、各基地局および各ＧＰＳ衛星は送信源を表している。端末の位置の２次元評価を決定するために、３つ以上の非空間的に整列されたソースからの送信は受信され、処理される。第４のソースは高度（３次元）を提供するために使用されてもよく、また正確さを増大させる（すなわち、測定された到達時間の不確実性を減少させる）ことができる。信号到達時間は送信源に対して決定され、擬似範囲を計算するために使用されることができ、その後この擬似範囲は端末の位置を決定するために使用されることができる（たとえば、三角測量技術によって）。位置決定は、３ＧＰＰ  ２５．３０５、ＴＩＡ／ＥＩＡ／ＩＳ−８０１およびＴＩＡ／ＥＩＡ／ＩＳ−８１７規格ドキュメントに記載されているよく知られている手段によって行われることができる。
【００１３】
図１Ａに示されている例において、端末106はＧＰＳ衛星124、基地局104および、または中継器114から送信を受信してもよい。端末106は、これらの送信機からの送信の信号到達時間を測定し、これらの測定値をＢＳＣ120を介してＰＤＥ130に報告することができる。その後、ＰＤＥ130は測定値を使用して、端末106の位置を決定することができる。
【００１４】
上述したように、中継器は、建造物内のような基地局によりカバーされない領域をカバーするために使用されることができる。中継器は基地局よりも経済的に有効あり、追加の容量が必要とされない場所に配置されることができるという利点がある。しかしながら、中継器は、中継器内の回路ならびにケーブルおよび、または中継器に関連した追加の送信による付加的な遅延と関連している。一例として、中継器内の表面弾性波（ＳＡＷ）フィルタ、増幅器およびその他のコンポーネントは、基地局から端末までの送信遅延に匹敵するか、あるいはそれより大きい可能性さえある追加の遅延を導入する。中継器の遅延が考慮されない場合、中継器からの信号の時間測定値は端末の位置を決定するために高い信頼性により使用されることができない。
【００１５】
図１Ｂは、建造物150に対して屋内カバレージを提供するための中継器114xの使用を示す概略図である。示されている例において、中継器114xは、いくつかの遠隔装置（ＲＵ）116に結合された主装置（ＭＵ）115を備えている。順方向リンクにおいて、主装置115は１以上の信号を１以上の基地局から受信し、受信された信号の全てまたはサブセットを各遠隔装置に中継する。また逆方向リンクに関して、主装置115は信号を遠隔装置116から受信し、結合して中継し、それによって逆方向リンクで１以上の基地局に返送する。各遠隔装置116は高層建造物の特定のエリア（たとえば、１つのフロア）にカバレージを提供し、そのカバレージエリアに対して順方向および逆方向リンク信号を中継する。
【発明の開示】
【発明が解決しようとする課題】
【００１６】
カバレージを提供するために中継器が使用されることのできる建造物内に配置された端末の位置を評価するときに種々の問題に直面する。第１に、多くの屋内適用において、端末は基地局またはＧＰＳ衛星から信号を受信することができないか、あるいは三角測量を行うことが必要とされるより少い送信機から信号を受信する可能性がある。建造物内カバレージを提供するために、中継器は典型的に単一の基地局から信号を比較的高いパワーでおよび遅延を伴なって再送信する。中継された信号の高いパワーと端末の隔離された屋内位置を加えたこの組合せは、通常、端末が別の信号を別の基地局および衛星から受信することを妨げる。
【００１７】
第２に、中継器により導入される遅延の量が知られていない場合、中継器からの信号は、三角測量用の信号の１つとして高い信頼性で使用されることができない。したがって、これはエンティティ（たとえば、ＰＤＥまたは端末）が１つ少ない衛星または基地局信号により位置決め評価を得るために中継された信号を使用することを妨げる。第３に、中継器が使用される多くの環境（たとえば、地下鉄、建物内等）においては、端末が増強された感度を有する受信機装置を使用したときでも、ＧＰＳ信号は受信されることができない。第４に、端末の位置を決定するために使用されるエンティティには、往復遅延（ＲＴＤ）測定値の正確さおよびＧＰＳ測定値に関する時間スタンプに影響を及ぼす正しくないタイミング基準（不確実な中継器遅延のために）をその端末が使用していたかどうかを判断して決定する手段がない。
【００１８】
したがって、中継器（または類似した特性を有する別の送信源）を使用する無線通信システムにおける端末の位置評価を行うことが技術的に必要とされている。
【課題を解決するための手段】
【００１９】
ここに開示されている方法および装置は無線通信システム内で中継器を介して通信している端末の位置を決定する。屋内カバレージを提供するために使用される中継器は、典型的に、比較的小さい地理的エリア（たとえば、建造物、その建造物の１フロア等）をカバーするように設計されていることが開示されている方法および装置により認識される。中継器のカバレージエリアが小さい場合、この中継器のカバレージ下の端末に対する位置の評価はカバレージエリア内の指定された位置として報告されることができ、その位置はカバレージエリア内の中心であることができる。多くの（大部分でなければ）場合、端末に対するこの報告された位置評価は、その端末の実際の位置の５０ｍ範囲以内である。この正確さは、米国連邦通信委員会（ＦＣＣ）によって義務づけられている強化緊急事（Ｅ−９１１）サービスに対して十分なものである。
【００２０】
開示されている方法および装置の１実施形態によると、各中継器と特有に関連している識別コードは、特定のカバレージエリア（たとえば、セル）内の各中継器によって送られる。その後、識別コードは中継器をあいまい性なく明瞭に識別するために端末（またはＰＤＥ）によって使用されることができる。識別コードとして種々のタイプのコードが使用されることができる。１実施形態において、識別コードは、中継器の識別のためにとくにリザーブされた規定されたオセットで擬似雑音（ＰＮ）シーケンスを含んでいる。
【００２１】
中継器が小さい地理的エリアをカバーする場合、信号がそれを介して受信された特定の中継器の識別は、たとえば中継器のカバレージエリアの中心等の、端末位置を評価するために使用されることができる。中継器が広いエリアをカバーする場合に対しては、信号が受信された特定の中継器の識別は、中継器の遅延にしたがって測定値を調節するために使用されることができる。
【００２２】
別の実施形態においては、各中継器に対する識別コードはスペクトラム拡散信号を使用して送信される。このスペクトラム拡散識別子信号は、ＣＤＭＡシステムの性能に対する影響が最小になるように設計されることが可能であると同時に、基地局または中継器から送信された順方向の変調された信号と同様にして再生されることができる。このようにして、端末が識別子信号を再生するのに追加のハードウェアは必要ない。１実施形態において、スペクトラム拡散識別子信号はＩＳ−９５  ＣＤＭＡ規格にしたがって発生され、これに従う。
【００２３】
開示されている方法および装置のさらに別の実施形態において、信号が中継器を通過したことが決定されたとき、その信号は位置決定計算において使用されない。これは、基地局から端末までの信号進行時間に加えられる遅延が位置決定計算中にエラーを生じさせないことを保証する簡単で廉価な方法である。すなわち、基地局から信号が伝送された時間と、その信号が端末によって受信された時間との間の伝播遅延は基地局と端末との間の距離を正確に反映するものではないので、この遅延は位置決定の計算に使用されてはならない。信号が通過した中継器のアイデンティティおよびその中継器の位置に関する付加的な情報が利用可能である場合、その情報はその計算において使用されることができる。しかしながら、中継器を通過した信号からの情報を使用せずに端末の位置を計算することを可能にするために、中継器を通過しない別の信号からの十分な情報が存在する可能性があることに注意すべきである。いずれの場合においても、中継器によって信号に与えられた付加的な遅延が考慮されることができるように、その信号に対するタイミング情報を使用しないか、あるいはそのタイミング情報を適切に調節することにより、信号が中継器を通過したことが知られることが重要である。
【００２４】
ここに記載されている技術は、種々のＣＤＭＡシステム（たとえば、以下の工業規格：ＩＳ−９５、ｃｄｍａ２０００、Ｗ―ＣＤＭＡ、ＩＳ−８０１に従うシステム）および種々の非ＣＤＭＡシステム（たとえば、ＧＳＭ、ＴＤＭＡ、アナログ等）において使用されることができる。
【発明を実施するための最良の形態】
【００２５】
開示されている方法および装置の特徴、性質および利点は、以下の詳細な説明および添付図面からさらに明らかになるであろう。なお、図面において同じ参照符号が一貫して対応的に識別をする。
開示されている方法および装置の特徴は、無線通信システムにおいて中継器のカバレージ下の端末の位置を決定するための技術を提供する。１つの特徴において、端末（またはＰＤＥ）がその中継器のアイデンティティを突きとめるために使用することのできる識別コードを各中継器が送信する技術が提供される。その後、この情報は、以下説明するように、端末の位置を評価するために使用されることができる。
【００２６】
屋内カバレージを提供するために使用される中継器は、典型的に、比較的小さい地理的エリア（たとえば、高層建造物、高層建造物の１フロア）をカバーするように設計されていることが開示されている方法および装置よって認められる。１実施形態において、中継器のカバレージエリアは典型的に小さいため、中継器のカバレージ下の端末に対する位置評価は、このカバレージエリア内の指定された位置として報告されることができ、その位置はカバレージエリアの中心であることができる。多くの（大部分でなければ）場合、端末に対するこの報告された位置評価は、その端末の実際の位置の５０ｍ以内である。この正確さは、９１１コールを行った端末の位置が公衆安全応答ポイント（ＰＳＡＰ）に送信されることを要求する米国連邦通信委員会（ＦＣＣ）によって義務づけられている強化緊急事９１１（Ｅ−９１１）サービスに対して十分である。ハンドセット端末に対して、Ｅ−９１１指令は、位置評価が６７％は５０ｍ内であり、９５％は１５０ｍ内であることを要求している。これらの要求は、ここに記載されている技術によって満足されることができる。
【００２７】
端末に対する中継器を識別するために種々の方式が使用されることができる。１つの方式において、特定のカバレージエリア（たとえば、セル）内の各中継器は、中継器を明瞭に識別するために使用されることのできる特有の識別コードを割当てられる。多くの識別コードが特定のカバレージエリア内の多くの中継器に割当てられることができる。これは、たとえば、多数の中継器がカバレージを提供するために使用され、それらが間隔を隔てて（たとえば、１００ｍより遠く離されて）配置されている非常に大きい建造物に該当することができる。その代りに、これらの中継器が十分に小さいエリア内に配置されている場合には、多くの中継器が共通の識別コードを割当てられてもよい。その後、これら全ての中継器に対して単一の位置評価が使用されてもよい。
【００２８】
各中継器に対して、中継器に割当てられた識別コードと、および中継器のカバレージ内の端末に対して提供された位置評価（たとえば、中継器のカバレージエリアの中心）は、テーブル中に記憶されてもよい。このテーブルは、ＰＤＥにおいて維持されることができる。この場合、端末は中継器から識別コードを受信し、このコードをＰＤＥに返送する（コード化された形態で）ことができ、その後ＰＤＥはテーブル中に記憶されている値（たとえば、カバレージ中心）に基づいて端末に対する位置評価を提供することができる。その代りに、あるいはそれに加えて、テーブルは端末またはある別のエンティティ（たとえば、基地局ＢＳＣ等）において維持されてもよい。
【００２９】
中継器の識別コードを端末に送信するために使用される方式は、種々の基準に基づいて設計されることができる。第１に、識別コードは、システムによりサポートされてもよい既存のＣＤＭＡ規格（たとえば、ＩＳ−９５、ｃｄｍａ２０００、Ｗ−ＣＤＭＡ、ＩＳ−８０１等）と適合する方法で送信されなければならない。第２に、この方式は、既に配置されてそのフィールドで使用されている端末の性能と適合していなければならず、これは既存の端末が識別コードに基づいて位置決定を行うことを可能にする。第３に、識別コードは、中継された信号および対応した識別コードの両者が単一の受信装置を使用して同時に受信されることができるように、端末が同調されている同じ周波数帯域内の端末に送信されなければならない。第４に、識別コードを送信するために使用される信号がシステムの性能に与える影響は最小でなければならない。
【００３０】
別の特徴において、各中継器に対する識別コードはスペクトラム拡散信号を使用して送信され、これは多くの利点を提供することができる。第１に、スペクトラム拡散識別子信号は、ＣＤＭＡシステムの性能に対する影響が最小であるように設計されることができる。第２に、スペクトラム拡散識別子信号は類似しており、基地局または中継器からの順方向の変調された信号に類似した方法で再生されることが可能である。この方法において、端末が識別子信号を再生するために付加的なハードウェアは必要ない。すでにそのフィールドに配置されており、ＣＤＭＡ信号を受信して処理することのできる既存の端末はまた中継器から識別子信号を受信して処理することができる。
【００３１】
１実施形態において、中継器に対するスペクトラム拡散識別子信号は、ＩＳ−９５ＣＤＭＡ規格にしたがって発生され、この規格に従う。しかしながら、識別子信号はまた、ある別のＣＤＭＡ規格または設計に従うように発生されてもよい。
【００３２】
１実施形態において、中継器に対する識別子コードは、異なったオフセットにおける擬似雑音（ＰＮ）シーケンスを含んでいる。典型的なＣＤＭＡシステムにおいて、各基地局はそのデータをＰＮシーケンスで拡散し、スペクトラム拡散信号を発生し、このスペクトラム拡散信号はその後、端末（およびおそらく中継器）に送信される。ＰＮシーケンスはまたはパイロットデータ（典型的に、全てゼロのシーケンス）を拡散してパイロット基準を生成するために使用され、このパイロット基準はコヒーレントな復調、チャンネル評価、およびおそらく別の機能を行うために端末によって使用される。
【００３３】
図２は、基地局においてパイロット基準を生成すると共にデータを拡散するために使用されるＰＮシーケンスに対するインデックスを示す概略図である。ＩＳ−９５およびある別のＣＤＭＡシステムにおいて、ＰＮシーケンスは特定のデータパターンおよび３２，７６８チップの固定した長さを有している。このＰＮシーケンスは連続的に中継されて、後でパイロットおよびトラフィックデータを拡散するために使用される連続した拡散シーケンスを発生する。ＰＮシーケンスのスタートはＣＤＭＡ規格によって規定され、システム時間とも呼ばれる規定された絶対時間基準（ＴABS）に同期される。ＰＮシーケンスの各チップは各ＰＮチップインデックスを割当てられており、そのＰＮシーケンスのスタートは０のＰＮチップインデックスを割当てられ、ＰＮシーケンスの最後のチップは３２，７６７のＰＮチップインデックスを割当てられている。
【００３４】
ＰＮシーケンスは、０から５１１までの番号を付けられた５１２の異なった“ＰＮ  ＩＮＣオフセット”に分割されることができ、連続した番号を付けられたＰＮ  ＩＮＣオフセットは６４個のチップによって分けられている。実効的に、５１２の異なったＰＮシーケンスは５１２の異なったＰＮ  ＩＮＣオフセットに基づいて規定されてもよく、その５１２のＰＮシーケンスのそれぞれがそのＰＮ  ＩＮＣオフセットに基づいた絶対時間基準における異なった開始点を有している。したがって、０のＰＮ  ＩＮＣオフセットを有するＰＮシーケンスはＴABSにおけるＰＮチップインデックス０でスタートし、１のＰＮ  ＩＮＣオフセットを有するＰＮシーケンスはＴABSにおけるＰＮチップインデックス６４でスタートし、２のＰＮ  ＩＮＣオフセットを有するＰＮシーケンスはＴABSにおけるＰＮチップインデックス１２８でスタートし、その他同様であり、５１１のＰＮ  ＩＮＣオフセットを有するＰＮシーケンスはＴABSにおけるＰＮチップインデックス３２，７０４でスタートする。
【００３５】
５１２の可能なＰＮシーケンスはＣＤＭＡシステムにおける基地局に割当てられ、数ある機能の中で、基地局を区別するために使用されてもよい。各基地局は、隣接した基地局からのパイロット基準が区別されることができ、それによって後に端末が受信された各基地局をそのＰＮ  ＩＮＣオフセットで識別することが可能となるように特定のＰＮ  ＩＮＣオフセットを割当てられる。
【００３６】
隣接した基地局に割当てられることのできる最も近いＰＮ  ＩＮＣオフセットは、ＣＤＭＡ規格によって決定される。たとえば、ＩＳ−９５およびＩＳ−８５６規格はパラメータ“ＰＮ ＩＮＣ”に対する１の最小値を規定する。１のこの特定されたＰＮ ＩＮＣは、隣接した基地局が１の最小のＰＮ  ＩＮＣオフセット（または６４のＰＮチップ）により分けられたＰＮシーケンスに割当てられてもよいことを意味する。低い特定されたＰＮ ＩＮＣ値（たとえば、１）は結果的に、基地局に割当てられてもよい利用可能なＰＮオフセット（たとえば、５１２）を増加させる。反対に、高い特定されたＰＮ ＩＮＣ値（たとえば、４）は、結果的に、基地局に割当てられてもよい利用可能なＰＮオフセット（たとえば、１２８）を減少させる。
【００３７】
ある特徴において、特定のオフセットにおけるＰＮシーケンスは、中継器の識別のために使用される。ここで使用されているように、“識別子ＰＮ”（ＩＰＮ）は中継器を識別するために使用されたＰＮシーケンス、コード、ビットパターン、またはある別の手段である。種々のＰＮは、識別子ＰＮとして使用されてもよい。識別子ＰＮは以下のようにカテゴリーに分けられてもよい：
・専用のＩＰＮ：特定のＰＮ  ＩＮＣオフセットにおける１以上のＰＮシーケンスは、中継器の識別に対する使用のためにリザーブされている；
・隣接したリストＩＰＮ：隣接リストの中の基地局に対するＰＮシーケンスは、中継器の識別のために使用される。
【００３８】
これらのＩＰＮカテゴリーはそれぞれ、識別子ＰＮとしての使用のためにＰＮシーケンスを選択するために使用される異なった方式に対応している。以下、これらのＩＰＮ選択方式をさらに詳細に説明する。ＩＰＮとして使用するためにＰＮシーケンスを選択する別の方式もまた考慮されてもよく、これは本発明の技術的範囲内のものである。
【００３９】
専用ＩＰＮ方式に対して、５１２の可能なＰＮ  ＩＮＣオフセット（１のＰＮ ＩＮＣが特定された場合）の中の、あるいは１２８の可能なＰＮ  ＩＮＣオフセット（４のＰＮ ＩＮＣが特定された場合）の中の１以上のＰＮ  ＩＮＣオフセットは、中継器の識別専用である。このような専用のＰＮ  ＩＮＣオフセットのそれぞれにおけるＰＮシーケンスは、中継器を識別するために使用されてもよい。
【００４０】
識別子ＰＮの使用は、端末がセル内の中継器をあいまいさのない明瞭な識別をすることを可能にする。多くの中継器が特定のセル内で使用されている場合、これらの中継器は、種々のファクタに応じて同じまたは異なった識別子ＰＮに割当てられてもよい。１実施形態において、異なったＰＮ  ＩＮＣオフセットにおける異なった識別子ＰＮは同じセル内の中継器に割当てられる。別の実施形態において、同じ識別子ＰＮの異なったチップオフセットは、同じセル内の中継器に割当てられる。これらのオフセットは、中継されたＰＮのオフセットによって決定されるシステム時間に関して規定される。たとえば、２チップオフセットが使用された場合、１１の異なったＰＮシーケンスは２０チップウインドウ内の単一の識別子ＰＮから発生されることができる。したがって、同じセル内の中継器に割当てられたＰＮシーケンスは互いに関して異なったＰＮ  ＩＮＣまたはチップオフセットを有することができ、それによってこれらの中継器は特有に識別されることが可能となる。
【００４１】
図３は、開示されている方法および装置の種々の特徴および実施形態を実施することのできる中継器114yの１実施形態の概略図である。この中継器114yは実効的に、順方向および逆方向の両リンクから変調された信号を受信し、増幅器し、再送信するために使用される高利得の２方向性増幅器である。順方向リンクにおいて、サービスしている基地局104（“ドナー”セルまたはセクタとも呼ばれる）からの変調された信号は、アンテナ（たとえば、指向性）またはケーブル（たとえば、同軸または光ファイバ）のいずれかを介して中継器114yによって受信される。その後、中継器114yは順方向の変調された信号を濾波し、増幅し、そのカバレージエリア内の端末106に再送信する。対応的に、方向リンクにおいては、中継器114yは変調された信号をカバレージエリア内の端末から受信し、逆方向の変調された信号を調整して再送信し、サービスしている基地局に戻す。
【００４２】
図３に示されている特定の実施形態において、中継器114yは、識別子信号発生器320に結合されている中継器装置310を含む。中継器装置310は信号調整を行って、順方向および逆方向の両リンクに対する中継された信号を発生する。識別子信号発生器320は、中継器114yに割当てられた識別コード（たとえば、識別子ＰＮ）を含む１以上のスペクトラム拡散識別子信号を発生する。
【００４３】
示されている実施形態において、識別子信号発生器320は、ＰＮ発生器およびアップコンバータモジュール324に結合された受信機モジュール322を含んでいる。カプラ308はサービスしている基地局から受信機モジュール322に順方向の変調された信号の一部を提供する。この受信機モジュール322は順方向の変調された信号の結合された部分を処理し、中継器114yに対するスペクトラム拡散識別子信号を発生するために使用されるタイミング基準および周波数基準を提供する。ＰＮ発生器およびアップコンバータモジュール324はタイミング基準に基づいて中継器に対する識別子ＰＮを発生し、さらに周波数基準に基づいて識別子ＰＮを適切な中間周波数（ＩＦ）または無線周波数（ＲＦ）に上方変換して、スペクトラム拡散識別子信号を発生する。以下、識別子信号発生器320の動作をさらに詳細に説明する。
【００４４】
示されている実施形態において、中継器装置310は、サービスしている基地局および端末とそれぞれ通信するために使用されるアンテナ302aおよび302bにそれぞれ結合された１対のデュプレクサ312aおよび312bを備えている。デュプレクサ312aは、サービスしている基地局からの順方向の変調された信号を調整装置314に送り、さらに、サービスしている基地局への返送のために調整された逆方向の変調された信号を調整装置318からアンテナ302aに結合する。調整装置314は順方向の変調された信号を調整して、調整された順方向の変調された信号を結合装置316に供給する。信号調整には増幅、中間周波数（ＩＦ）またはベースバンドへの順方向の変調された信号の周波数の下方変換、濾波、およびＩＦまたは無線周波数（ＲＦ）への信号の上方変換が含まれる。結合装置316（ハイブリッドカプラにより構成されてもよい）はさらに、スペクトラム拡散識別子信号を識別子信号発生器320から受信し、その識別子信号を調整された順方向の変調された信号と結合し、結合された信号をデュプレクサ312bに供給する。その後、結合された信号はアンテナ302bに送られ、端末に送信される。
【００４５】
図３に示されているように、中継器装置310は周波数基準を識別子信号発生器320から受取る。
【００４６】
この周波数基準は、識別子信号がＩＦまたはベースバンド（ＢＢ）において付加された場合に必要とされる可能性がある。周波数基準は、中継器のＩＦ／ＢＢが正確であることを保証するために使用されてもよい。この場合において、調整装置314は周波数基準を受取り、結合装置316は調整装置314内に含まれている。
【００４７】
逆方向リンクにおいては、端末からの逆方向の変調された信号はアンテナ302bによって受取られ、デュプレクサ312bを通って送られ、調整装置318によって調整される。その後、調整された逆方向の変調された信号は、デュプレクサ312aを通って送られ、アンテナ302aを介してサービスしている基地局に送信される。一般に、中継器装置310内における順方向および逆方向の変調された信号の処理は、スペクトラム拡散識別子信号の処理および追加の影響を受けない。
【００４８】
図３に示されている実施形態において、識別子信号は、中継器装置310内において調整された順方向の変調された信号（たとえば、ＩＦまたはＲＦのいずれかにおける）に追加される。一般に、識別子信号は、アンテナ302aからアンテナ302bまでの信号路に沿った任意の地点で追加されることができる。たとえば、識別子信号は生成され、受信された順方向の変調された信号に追加されることができ、その後、結合された信号が中継器装置310に供給されることができる。その代わりに、識別子信号は中継器装置310からの調整された順方向の変調された信号に追加されることができ、その後、結合された信号がアンテナ302bから送信されることができる。このようにして、識別子信号は、中継器装置310の外部から、あるいは中継器装置310内で順方向の変調された信号に追加されることができる。すでにフィールド中に配置されている、識別子信号を順方向の変調された信号と結合する適切な回路（たとえば、図３中の結合装置316）を備えていない中継器に対して、この機能は中継器の外部で行われることができる。また、カプラ308は中継器装置310の前（中継器装置310の入力）、あるいはその後（中継器装置310の出力）のいずれかに配置されてもよい。その代りに、順方向の変調された信号の合された部分は、中継器の特定の構成に応じてＲＦ、ＩＦまたはベースバンドにおいて中継器装置310内から獲得されてもよい。
【００４９】
図４Ａは、識別子信号を生成して順方向の変調された信号と結合し、結合された信号を提供するために使用されることのできるモジュール400aの１実施形態を示している。モジュール400aは、中継器装置の入力ポートまたは出力ポートのいずれかに結合された分離装置として構成されることができる。入力ポートに結合されている場合、モジュール400aからの結合された信号は、順方向の変調された信号に対する場合と同様に中継器装置によって調整されて再送信される。出力ポートに結合されている場合、識別子信号は、端末への送信のために中継器装置からの調整された順方向の変調された信号と結合されて結合された信号を生成することができる。いずれの場合も、中継器装置は、あたかも識別子信号が存在していないかのように、通常の方法で動作されることができる。
【００５０】
図４Ａに示されている実施形態では、モジュール400a内において順方向の変調された信号（すなわち、順方向のＲＦ入力）はカプラ408によって結合され、アイソレータ412を通って送られ、ハイブリッドカプラにより構成されてもよい結合装置416に供給される。この結合装置416はまた識別子信号を識別子信号発生器420aから受取って、順方向の変調された信号を識別子信号と結合し、結合された信号を出力（すなわち、順方向のＲＦ出力）に提供する。
【００５１】
図４Ａはまた、図３における識別子信号発生器320としても使用されることのできる識別子信号発生器420aの１実施形態を示している。順方向の変調された信号の結合された部分は、上述したように受信機モジュール422に供給されて処理され、タイミングおよび周波数基準を提供する。実施形態において、受信機モジュール422は、端末に含まれているものに類似しており、サービスしている基地局からの順方向の変調された信号を復調することのできる受信機処理装置を備えている。とくに、受信機モジュール422は順方向の変調された信号を濾波し、増幅し、下方変換し、デジタル化して、サンプルを提供する。その後、このサンプルは、サービスしている基地局によって送信されたパイロット基準を再生するために種々のチップオフセットで局部的に発生されたＰＮシーケンスによりデスプレッドされる。
【００５２】
パイロットのサーチおよび復調は、米国特許第 5,764,687号明細書（“MOBILE DEMODULATOR ARCHITECTURE FOR A SPREAD SPECTRUM MULTIPLE ACCESS COMMUNICATION SYSTEM”）、米国特許第 5,805,648号明細書および米国特許第 5,644,591号明細書（“METHOD FOR PERFORMING SEARCH ACQUISITION IN A CDMA COMMUNICATIONS SYSTEM”）、ならびに米国特許第 5,577,022号明細書（“PILOT SIGNAL SEARCHING TECHNIQUE FOR A CELLULAR COMMUNICATIONS SYSTEM”）に示されているようによく知られている。
【００５３】
１実施形態において、受信機モジュール442はタイミング追跡ループおよび搬送波追跡ループを備えている（簡単化するために図４Ａには示されていない）。周波数追跡ループは、受信された順方向の変調された信号（すなわち、中継される信号）中のパイロット基準の周波数に局部基準発振器の周波数（たとえば、温度補償された結晶発振器ＴＣＸＯ）をロックする。その後、再生されたパイロット基準から抽出されたＰＮシーケンスのスタートを検出することにより、タイミング基準が導出されることができる。タイミング基準は、システム時間（再生されたパイロット基準から導出される）からの決定性周期オフセットに一致したパルスを有するタイミング信号を介して受信機装置422によって提供されてもよく、それによって識別子ＰＮをシステム時間と整列させることが可能となる。
【００５４】
搬送波追跡ループは、局部発振器（ＬＯ）を順方向の変調された信号の搬送波周波数にロックする。その後、周波数基準はロックされた局部発振器から導出されることができる。周波数基準は、再生された搬送波の周波数に関連した（たとえば、その１／Ｎ倍の）周波数を有するクロック信号を介して提供されてもよい。
【００５５】
図４Ａに示されている実施形態において、ＰＮ発生器およびアップコンバータモジュール424は、制御装置430、ＰＮ発生器432およびアップコンバータ434を備えている。ＰＮ発生器432は受信機モジュール422からタイミング基準を受取り、さらに識別子ＰＮの発生に必要とされる可能性のある別の信号を供給されてもよい。たとえば、ＰＮ発生器432は、ＰＮチップレートの倍数倍におけるクロック信号（たとえば、チップレートの１６倍またはＣｈｉｐｘ１６におけるクロック信号）、および特定の時間期間（たとえば、２秒）内にＣｈｉｐｘ１６の数のサイクルを有する別の信号を供給されてもよい。その後、ＰＮ発生器432は、特定の構成に応じた所望のオフセットにおける１以上の識別子ＰＮを発生し、さらに適切に波形成形されたＰＮシーケンスを生成するためにデジタルフィルタを使用して各識別子ＰＮのパルス成形を行ってもよい。
【００５６】
アップコンバータ434は、周波数基準を受信機モジュール422から受取り、（波形成形された）識別子ＰＮをＰＮ発生器432から受取って、１以上のスペクトラム拡散識別子信号を発生し、各識別子信号は異なった搬送波周波数および、またはＰＮオフセットに対応している。以下に説明するように、ある適用では多くの識別子信号が必要とされる可能性がある。受信機モジュール422からの周波数基準を使用して、再送信されている順方向の変調された信号に関して無視できる程わずかな（たとえば、数ヘルツ以下の）周波数エラーを有する搬送波周波数で各識別子信号が供給されることができる。この無視できる程わずかな周波数エラーにより、端末は、それらが順方向の変調された信号にロックされているときでも、識別子信号を受信して識別子ＰＮを再生することが可能になる。識別子信号の発生は、アナログおよび、またはデジタル回路の組合せを使用して、あるいはある別の方法によりデジタル的に行われてもよい。
【００５７】
制御装置430は、種々の機能のために受信機モジュール422、ＰＮ発生器432およびアップコンバータ434と通信することができる。制御装置430は、たとえば、受信されているいくつかの順方向の変調された信号の特定の１つをロックして特定の周波数ウインドウ内の順方向の変調された信号をサーチするように受信機モジュール422に命令することができる。制御装置430は、中継器に割当てられている特定のオフセットにおける識別子ＰＮを発生するようにＰＮ発生器432に命令することができる。さらに制御装置430は、特定の搬送波周波数および特定の送信パワーレベルにおける識別子信号を発生するようにアップコンバータ434に命令することができる。
【００５８】
１実施形態において、各識別子信号のパワーレベルは、それがシステムの容量に影響を与えないように制御される。ＣＤＭＡシステムに関して、送信された各信号（たとえば、識別子信号）は、送信された別の信号（たとえば、順方向の変調された信号）に対する妨害として作用し、端末において受信されたときにこれらの送信された別の信号の品質を劣化させる可能性がある。したがって、信号品質の劣化は順方向リンクの送信容量に対して影響を与える可能性がある。この劣化を最小にするために、識別子信号のパワーレベルは、中継されている順方向の変調された信号の全信号パワーより低い特定のレベル（たとえば、１５ｄＢ）であるように制御されることができる。識別子信号のパワーレベルはまた大部分の端末の受信距離内であるように制御されることができる。これは、識別子信号が端末により適切に受信されることができることを保証する。
【００５９】
１実施形態において、中継器により再送信された順方向の変調された信号の数にかかわらず、各中継器を特有に識別するために１つのＰＮシーケンスだけが使用される。しかしながら、いくつかの理由のために多くの識別子信号がモジュール400aにより発生されてもよい。たとえば、順方向の変調された信号が多くの周波数帯域にわたって再送信される場合、識別子ＰＮは中継された信号の周波数に対応したいくつかの搬送波周波数に上方変換されることができる。多くの識別子信号はまた、たとえば、低いＩＦ（たとえば、１０ＭＨｚ）でデジタル的に発生され、その後所望のＲＦまたはＩＦに上方変換されてもよい。識別子ＰＮは基地局識別ではなく中継器識別のために使用されるため、多くの基地局から多くの順方向の変調された信号が中継されることができても、各中継器に対してただ１つの識別子ＰＮが割当てられる。
【００６０】
図４Ｂは、識別子信号を発生して順方向の変調された信号と結合し、結合された信号を提供するために使用されることのできる別のモジュール400bの１実施形態を示している。この別のモジュール400bはある点において図４Ａのモジュール400aに類似しているが、しかし、逆方向の変調された信号を介して遠隔構成に対して応答を行う送信機モジュール426をさらに備えている。中継器の遠隔構成は、たとえば、ＰＤＥによって行われることができる。この場合、送信機モジュール426は情報をＰＤＥ関連構成に返送するために使用されてもよい。この情報は、識別子信号（たとえば、識別子信号のオフセットおよび、または相対パワー）を変更するためにＰＤＥにより送信されたコマンドの応答を含んでいてもよい。中継器からのこのフィードバックは、その後、ＰＤＥがこのような遠隔構成を監視し、確認することを可能にする。結合装置416およびアイソレータ412の位置は交換されてもよく、その場合これによって受信機モジュール422は識別子信号を自己監視することが可能となる。このようにして、受信機モジュール422は端末に類似した識別子信号を受信することができ、したがって付加される信号の監視を可能にする。
【００６１】
図４Ｃは、識別子信号を発生して順方向の変調された信号と結合し、結合された信号を提供するために使用されることのできるさらに別のモジュール400cの１実施形態を示している。このモジュール400cはある点において図４Ｂのモジュール400bに類似しているが、しかし、順方向および逆方向の両リンクに対して単一のケーブルが各ポートで使用されるように、モジュール400cの入力および出力ポートで順方向および逆方向の変調された信号をそれぞれ結合するために使用される装置450aおよび450bをさらに備えている。示されている実施形態において、各装置450は１対のバンドパスフィルタ（ＢＰＦ）452および454を備えており、各ＢＰＦ452および454は逆方向および順方向の変調された信号を濾波するためにそれぞれ使用される。サーキュレータ456は順方向および逆方向の変調された信号をそれらの適切なあて先に導き、さらに順方向および逆方向リンクに対する分離を行う。装置450aおよび450bはまたそれぞれデュプレクサにより構成されてもよい。
【００６２】
中継器は、各エリアをカバーするために使用されるいくつかの遠隔装置（ＲＵ）と関連付けられてもよい。図１Ｂに示されている屋内適用に対して、中継器114xは主装置115およびいくつかの遠隔装置116を備えており、各遠隔装置が建造物の各階をカバーする。遠隔装置によって送信される識別子信号は種々の方法で、および種々の考慮事項（たとえば、遠隔装置が個別に識別される必要があるか否か等）に基づいて発生されることができる。
【００６３】
図５Ａ乃至５Ｄは、中継器の多くの遠隔装置に対して識別子ＰＮを発生するいくつかの特定の構成を示している。あるＣＤＭＡシステム（ＩＳ−９５  ＣＤＭＡ規格に従うもののような）に対して、端末は基準時間に関して最も早く到達したパイロット信号（すなわち、復調のために使用されることのできる最初の信号インスタンス）だけを報告する。現在、ＩＳ−８０１規格はまた最初に到達したパイロットだけを報告することをサポートしている。パイロットデータは全てゼロまたは全て１のシーケンスであるため、パイロット信号は本質的にＰＮシーケンスである。これらのシステムに対して、識別子ＰＮに対する特定のオフセットは、以下に説明するように、遠隔装置が特有に識別されるように各遠隔装置に割当てられてもよい。多数のパイロット（すなわち、パイロットプロファイル）の報告をサポートすることのできる別のシステムに対しては、報告されたパイロットプロファイルはまた遠隔装置を特有に識別するために使用されてもよい。図５Ａ乃至５Ｄは、いくつかの場合を例示している。ここに記載されている概念は別の場合に対して拡張され、および、または修正されることができ、これは開示されている方法および装置の技術的範囲内である。
【００６４】
特定の中継器の遠隔装置から送信された中継された信号は、典型的に、これらの中継された信号が端末により等しいパワー受信されるのではなく、逆の位相で遅延され、その場合それらが相殺するように遅延される。遠隔装置によりカバーされるエリアは典型的に小さいので、通常、遠隔装置の間の２つのチップの遅延が適切である。
【００６５】
以下の図５Ａ乃至５Ｄに対する説明において、中継器識別のために専用のＩＰＮが使用されることが仮定されている。図５Ａ乃至５Ｄを参照として説明されている概念に関して、隣接リストＩＰＮを含む拡張を後続的に説明する。
【００６６】
図５Ａは、特定の中継器の遠隔装置から受信されることのできる信号を示す概略図である。図５Ａに示されているように、識別子ＰＮは中継されたドナーＰＮ（ＲＤＰＮ）（すなわち、中継されたドナー基地局からのＰＮ）からｄの計画的なオフセットだけ遅延され、各遠隔装置に対する中継された信号および識別子信号は互いに関して２つのチップだけ遅延される。端末が中継器（すなわち、中継器の１以上の遠隔装置）からの信号だけを受信し、ドナー基地局からは受信しない場合、端末は以下の範囲における中継されたドナーＰＮに関する識別子ＰＮの遅延（またはオフセット）を報告する：
【数１】
2004532576.tif 000003
【００６７】
式１は、端末により報告された最初の識別子ＰＮのオフセットがｄ（第１の遠隔端末からの中継された信号および識別子信号が受信された場合）から２（ｎ−１）＋ｄ（第１の遠隔装置からの中継された信号および第ｎの遠隔装置からの識別子信号が受信された場合）までの範囲内に入ることを示している。可能なオフセットの範囲ＲRIPNの論拠は、最初の受信された識別子ＰＮならびに最初の受信された中継された信号および識別子信号が同じまたは異なった遠隔装置からのものであることができることを端末が報告するためである。
【００６８】
図５Ｂは、特定の中継器のドナー基地局および遠隔装置から受信されることのできる信号を示す概略図である。端末が順方向の変調された信号をドナー基地局から直接受信すると共に中継された信号を中継器から直接受信することができる場合、その端末は基地局から受信されたドナーＰＮ（ＤＰＮ）および中継器に対する最初の識別子ＰＮを報告する。ドナーＰＮに関する識別子ＰＮのオフセットは以下の範囲に入る：
【数２】
2004532576.tif 000004
【００６９】
ここでｘは、ドナー基地局と中継器に対する第１の（最初の）遠隔装置との間の遅延である。
【００７０】
式１および２から識別子ＰＮに対する計画的なオフセットｄは、両範囲ＲRIPNおよびＲIPNに共通であることを認識することができる。ドナー基地局と最初の遠隔装置との間の遅延ｘが条件ｘ＞２ｎを満たす場合、端末はドナー基地局または中継器のどちらから順方向の変調された信号を受信したのかを決定することができる。この情報は、たとえば、端末が中継器のカバレージ内に位置しているが、依然として信号をドナー基地局から受信することができるとき、あるいは端末が中継器のカバレージエリアから離れて位置しているが、依然として中継器から漏洩を受信するとき等の場合に有用なものとなることができる。
【００７１】
ある実施形態において、多くの識別子信号が単一の識別子ＰＮの異なったチップオフセットに基づいて発生されることができる。これは、たとえば、異なった識別子信号が中継器の多数の遠隔装置をそれぞれ個別に識別することを要求される場合等に望ましいことがある。この場合、各遠隔装置に対して１つの識別子信号が発生されることができ、各識別子信号はその遠隔装置に割当てられた特定のチップオフセットでの識別子ＰＮを含んでいる。異なった遠隔装置に対する識別子信号に対して異なったチップオフセットを使用することにより、端末の位置のさらに特定された評価が可能になる。たとえば、異なったチップオフセットは、主装置のカバレージエリア（たとえば、特定の建造物）とは対照的に、特定の遠隔装置のカバレージエリア（たとえば、建造物の特定のフロア）内まで端末の位置を評価するために使用されることができる。
【００７２】
図５Ｃは、線形的に増加するチップオフセットだけ遅延される多数の遠隔装置に対する識別子信号を示す概略図である。識別子信号に対する遅延は、中継された信号に対する遅延に対して付加的なものであってもよい。たとえば、遠隔装置に対する中継された信号が２チップだけ遅延される場合、遠隔装置に対する識別子信号は４チップだけ遅延されてもよい。１実施形態において、遠隔装置に割当てられたチップオフセットは以下のように規定される：
ｄIPN（ｉ）＝ｄ＋２（ｉ−１），    １≦ｉ≦ｎ        式（３）
ここでｄIPN（ｉ）は第ｉの遠隔装置に割当てられたオフセットであり、ｄは第１の遠隔装置に対する中継されたドナーＰＮに関する識別子ＰＮのオフセット（すなわち、ｄ＝ｄIPN（１））である。図５Ｃに示されている特定の例のように、遠隔装置に対する中継された信号が２チップだけ遅延され、ｄ＝８およびｎ＝３である場合、３つの遠隔装置に対するオフセットｄIPN（ｉ）は{８，１０，１２}として計算されることができる。
【００７３】
遠隔装置に対して異なったオフセットを使用することにより、１つの遠隔装置だけからの中継された信号および識別子信号が端末によって任意の所定の時間に受信された場合、その遠隔装置は中継された信号と識別子信号との間のオフセットで特有に識別されることができる。
【００７４】
異なったチップオフセットにおける多くの識別子信号は、異なった遅延のフィルタにより識別子信号（たとえば、ＩＦまたはＲＦにおける）を遅延し、異なったチップオフセットを有するＰＮシーケンスを発生してこれらのＰＮシーケンスをアップコンバートすることにより、あるいは別のメカニズムにより発生されることができる（たとえば、主装置によって）。
【００７５】
図５Ｄは、非線形的に減少するチップオフセットだけ遅延される多数の遠隔装置に対する識別子信号を示す概略図である。１実施形態において、遠隔装置に割当てられたチップオフセットは、以下のように規定される：
ｄIPN（ｉ）＝ｄ−（ｉ−１）・（ｉ＋２），    １≦ｉ≦ｎ        式（４）
ここでｄIPN（ｉ）は第ｉの遠隔装置に割当てられたオフセットであり、ｄは第１の遠隔装置に対する中継されたドナーＰＮに関する識別子ＰＮのオフセット（すなわち、ｄ＝ｄIPN（１））である。図５Ｄに示されている特定の例のように、遠隔装置に対する中継された信号が２チップだけ遅延され、ｄ＝１４およびｎ＝５である場合、５つの遠隔装置に対するオフセットｄIPN（ｉ）は{１４，１０，４，−４，−１４}として計算されることができる。
【００７６】
式（４）により発生された異なったオフセットにより、識別子信号が検出された特定の遠隔装置（１つの遠隔装置が受信された場合）の識別、あるいは識別子信号が検出された２つ（以上）の遠隔装置（２以上の遠隔装置が受信された場合）の識別が可能になる。表１において、端末による可能なオフセット測定値（１列目）、測定されたオフセットに対して検出されることのできる遠隔装置（２列目）、ならびに報告される遠隔装置（３列目）がリストにされている。
【表１】
2004532576.tif 000005
【００７７】
表１において報告された（３列目で）遠隔装置は、以下のように導出されることができる。ｄの偶数値（たとえば、図５Ｄに示されている例に対するｄ＝１４）に対して、中継されたドナーＰＮに関する識別子ＰＮの測定されたオフセットが最初に最も近い値に丸められ、
【数３】
2004532576.tif 000006
【００７８】
として表される。その後、識別子信号が受信された遠隔装置は次のように識別されることができる：
【数４】
2004532576.tif 000007
【００７９】
ｄの奇数値に対して、識別子ＰＮの測定されたオフセットは最も近い奇数値に丸められ、その後遠隔装置は式５に基づいて類似した方法で識別される。
【００８０】
多くの中継器がドナーＰＮの所定のカバレージエリア（たとえば、セクタまたはオムニセル（omni-ｃｅｌｌ））に対して使用され、各中継器がおそらく多数の遠隔装置を有している場合、各中継器に対する端末により報告されるオフセットの範囲は、以下のように表されることができる：
【数５】
2004532576.tif 000008
【００８１】
ここで、Ｒkは、第ｋの中継器に対して報告されることのできるオフセットの範囲であり、
Ｒk,RIPNは、第ｋの中継器が受信されたが、ドナー基地局は受信されない場合のオフセットの範囲であり、
Ｒk,IPNは、第ｋの中継器およびドナー基地局の両者が受信された場合のオフセットの範囲であり、
“Ｕ”は合併集合演算である。
【００８２】
ｘk＝２（ｎk＋１）である場合、範囲Ｒkは以下のように表される：
【数６】
2004532576.tif 000009
【００８３】
ここでｄkは、第ｋの中継器に対する識別子ＰＮと中継されたＰＮとの間の計画的なオフセットであり、ｎkは第ｋの中継器に対する遠隔装置の数である。式７は式１、２および６から導出される。範囲Ｒkの始めは式１における低い値（すなわち、ｄ）であり、範囲の終りは式２における高い値（すなわち、２（ｎ−１）＋ｄ＋ｘ）によって与えられる。ｘ＝２（ｎ＋１）を置換し、条件ｘ＞２ｎを維持することにより、範囲Ｒkの終りは、式７に示されているように４ｎ＋ｄとして計算される。
【００８４】
遅延ｄkは、以下の式が満足されるように選択される：
ｄk+１＝ｄk＋４・ｎk＋２            式（８）
式８が満足された場合、中継された信号が端末で受信された中継器が特有に識別されることができる。遅延ｄ１は、識別子信号がパイロットをサーチするために使用されたサーチウインドウ内のものであるように選択されてもよい。
【００８５】
一般に、識別子信号に対してオフセットの範囲が使用される場合、端末は、サーチウインドウが適切に設定されるように範囲情報を提供される。
【００８６】
カバレージエリアに対して多数の中継器が使用される場合、各中継器を個々に識別するために多数のＰＮもまた使用されてもよい。各中継器は各識別子ＰＮを割当てられてもよい。中継器はまた２以上の識別子ＰＮを割当てられてもよい。たとえば、２つの識別子ＰＮが利用可能である場合、第１の識別子ＰＮは第１の中継器に割当てられることができ、第２の識別子ＰＮは第２の中継器に割当てられることができ、第１および第２の識別子ＰＮの組合せは第３の中継器に割当てられることができる。これらの識別子ＰＮのオフセットの種々の組合せもまた発生され、使用されることができる。
【００８７】
典型的なＣＤＭＡシステムにおいて、各基地局は、ハンドオフの候補である近くの基地局を含む各隣接リストと関連付けられてもよい。端末は、それが通信している基地局と関連付けられた隣接リストを提供されることができる。端末は、ハンドオフが必要とされるか否かを決定するために強い信号インスタンス（またはマルチパスコンポーネント）を連続的にサーチするときにこの隣接リストを参考にすることができる。
【００８８】
隣接リストＩＰＮ方式に対して、隣接リスト中の基地局により使用されるＰＮシーケンス（すなわち、隣接リストＰＮ）はまた、中継器識別のために使用される。ＩＰＮとして使用される隣接リストＰＮの選択、ＩＰＮの送信、およびＩＰＮ測定値の使用において種々の事項を考慮することができる。これらの考慮事項は、ＩＰＮの測定値がＩＰＮに対して使用された隣接リストＰＮの測定値と区別されることを保証する。これらの考慮事項が適切に処理された場合、隣接リストＩＰＮの使用は、上述した専用のＩＰＮの使用に類似したものとなる。
【００８９】
隣接リストＰＮがＩＰＮに対して使用されてもよいか否かを決定するために、ある選択基準が使用されてもよい。１つの基準において、中継された隣接リストＰＮはＩＰＮに対して使用されない。このような制約が課されない場合、端末は同じＰＮを、（１）１つの中継器からの中継されたドナーＰＮおよび（２）別の中継器からのＩＰＮの両者として受信する可能性がある。端末は、最初の到達路に対応した各ＰＮに対する単一の測定値を報告するので、報告されたＰＮがある中継器からのものだったか、あるいは別の中継器からのものだったかは曖昧である可能性がある。別の基準では、１以上の中継器と関連付けられた所定のドナー基地局に対して、関連付けられた中継器のいずれにおいても検出不可能であるこの基地局に対する隣接リストＰＮ内のＰＮだけが、これらの中継器に対するＩＰＮとして使用されることができる。この制約は、たとえば、各中継器に配置され、ＩＰＮを遠隔的に構成して発生するために使用されるある装置からＰＮサーチ結果を得ることによって確実にされることができる。
【００９０】
ＩＰＮは、これらのＩＰＮが通信およびシステム性能に対する影響を最小にしながら、端末において高い信頼性で検出されることができるように、特定のパワーレベルで送信されなければならない。１つの考慮事項として、ＩＰＮは、それが端末の候補リストに追加されないように十分に低いパワーレベルで送信されなければならない。特定の例として、ＩＰＮは報告されるドナーＰＮより１５ｄＢ低いパワーで送信されてもよい。−５ｄＢの中継されたパイロットＥｃ／Ｉｏにより軽く負荷されたセルに対して、ＩＰＮは−２０ｄＢのＥｃ／Ｉｏに対応したパワーにより送信されてもよい。
【００９１】
新しい基地局を候補リストに追加するために低いしきい値（Ｔ ＡＤＤ）を有するＩＳ−９５Ａネットワークに対して、ＩＰＮは低いパワーレベルで送信されてもよい。その後、余分なマージンは、雑音によって増加され（パイロットパワーは短い積分期間により評価される可能性があるため）、Ｔ ＡＤＤ値を超えているＩＰＮ測定値の尤度を減少させることができる。“ダイナミック”付加しきい値を有するＩＳ−９５Ｂネットワークに対して、中継されたドナーＰＮとＩＰＮとのパイロットパワーにおける大きい差の結果、候補リストに追加されるＩＰＮの尤度は低くなる。
【００９２】
ある例において、端末は、（１）ドナーＰＮおよびＩＰＮを送信している中継器と、（２）ＰＮが中継器によってＩＰＮとして使用される隣接した基地局との間のハンドオフ領域内に位置している可能性がある。隣接した基地局からのＰＮは、“隣接ＰＮ”（ＮＰＮ）と呼ばれる。これらの例において、端末は復調性能を改善するためにドナー基地局からの送信を隣接した基地局からの送信と（非コヒーレントに）結合することを試みることができる。その場合、端末は隣接した基地局の別のマルチパスコンポーネントとしてＩＰＮを見ることができ、ＩＰＮに関連付けられた存在しないトラフィックチャンネル（ＩＰＮだけが中継器から送信されるため）を隣接した基地局のトラフィックチャンネルと結合することを試みる。
【００９３】
ＩＰＮに関連付けられた存在しないトラフィックチャンネルを隣接した基地局のトラフィックチャンネルと結合する効果は以下の理由のために無視できる程度かもしれない。第１に、上述されたＩＰＮ選択基準が忠実に守られた場合、端末が中継器とこの隣接した基地局との間でハンドオフしている確率は小さい可能性がある。第２に、ＩＰＮが結合のために選択される尤度もまた小さい可能性がある。結合のために選択されるために、ＩＰＮパイロットパワーはインロックしきい値を超える必要があるかもしれない。しかしながら、ＩＰＮパイロットパワーは比較的弱い（たとえば、中継されたドナーＰＮパイロットパワーより１５ｄＢ低い）。したがって、中継されたドナーＰＮが端末によって強いレベルで受信された場合だけ、ＩＰＮがインロックしきい値をパスする。第３に、ＩＰＮからの影響は、それが結合された場合でさえ小さい可能性がある。パイロットだけがＩＰＮのために中継器によって送信され、トラフィックチャンネルは送信されないので、存在しないトラフィックチャンネルに対して検出された雑音だけが結合される。しかしながら、この雑音は大量に減衰される。最大比率の結合（一般にレイク受信機により使用される）のために、各フィンガからのトラフィックチャンネルは結合の前にそのフィンガにより受信されたパイロットパワーにより加重される。ＩＰＮパイロットパワーは比較的弱い（たとえば、フィンガに対する最大パワーより１５ｄＢ以上低い）ので、ＩＰＮからの雑音は小さい値により加重される。第４に、ＩＰＮは、ＩＰＮに対する比較的弱いマルチパスコンポーネントを追跡するために利用可能なスペアフィンガが存在する場合にのみ結合される。
【００９４】
中継器に対するＩＰＮが隣接リストＰＮから選択された場合、信号（またはＰＮ）が基地局から直接受信されたのか、あるいは中継器を介して受信されたのかを決定する必要があるかもしれない。１実施形態では、この決定は幾何学的制約に基づいて行われてもよい。
【００９５】
図６Ａは、到達時間差（ＴＤＯＡ）測定に対する幾何学的制約を示す概略図である。図６Ａにおいて、端末はパイロットを２つの基地局から受信し、２つの受信されたパイロットは単一のＴＤＯＡ測定値を得るために使用される。このＴＤＯＡ測定値は２つの受信されたパイロットの到達時間の差を示し、信号の到達時間は信号が進行した距離に比例する。端末と２つの基地局との間の距離はｒ1およびｒ2として表され、２つの基地局の間の距離はｄ12として表される。図６Ａから、距離ｒ1、ｒ2およびｄ12は三角形を形成することが認められる。したがって、以下の制約が生成されることができる：
−ｄ12≦（ｒ1−ｒ2）≦ｄ12          式（９）
式９に表された幾何学的制約に基づいて、幾何学的テストが考え出されてもよい。
【００９６】
式９は、受信機タイミングおよび表過去エラーがないことを仮定すると、各ＴＤＯＡ測定値の絶対値（すなわち、｜ｒ1−ｒ2｜）が２つの基地局の間の距離ｄ12により上限を定められることを示している。したがって、ＴＤＯＡ測定値に対する幾何学的制約は、（１）ＴＤＯＡ測定値に関する過度の遅延を決定するために、および、または（２）パイロットが中継器によって遅延されたか否かを決定するために使用されることができる。
【００９７】
各中継器に対するＩＰＮは、中継されたドナー信号に関して、ドナーと隣接した基地局との間の距離に若干のマージンを加えたものより大きい量だけ遅延されてもよい。これは、次のように表されることができる：
ｒipn−ｒrdpn＞ｄdn＋ｄmar  または  ｒipn＞ｒrdpn＋ｄdn＋ｄmar      式（１０）
ここで、ｒipnは中継器からのＩＰＮ測定値であり、
ｒrdpnは中継器からのＲＤＰＮ測定値であり、
ｄdnはドナー基地局と、ＰＮがＩＰＮとして使用される隣接した基地局との間の距離であり、
ｄmarはマージンである。
【００９８】
ＴＤＯＡ測定値に対する幾何学的制約は、端末で受信された信号が中継器からのものであるか否かを決定するために使用されてもよい。中継されていないドナーＰＮ（ＤＰＮ）と、中継されていない隣接ＰＮ（ＮＰＮ）と、中継されたドナーＰＮ（ＲＤＰＮ）と、およびＩＰＮ、またはこれらのＰＮの任意の組合せとは、以下のシナリオで説明するように、端末によって検出されることができる。
【００９９】
図６Ｂは、端末が中継器のカバレージエリアに属するシナリオを示す概略図である。このシナリオに関して、端末はＲＤＰＮおよびＩＰＮを中継器から受信するが、しかしＤＰＮおよびＮＰＮは受信しない。その後、端末はＲＤＰＮおよびＩＰＮをＰＤＥに報告してもよく、そのＰＤＥは幾何学的テストを行うことができる。ＲＤＰＮとＩＰＮとの間のＴＤＯＡ測定値は正確でなければならず、その理由は、これらのＰＮが同じソースから送信されるためである。ＩＰＮが上記の式１０に示されているようにＲＤＰＮに関して少なくともｄdn＋ｄmarだけ遅延された場合、ＲＤＰＮおよびＩＰＮ測定値に対する幾何学的テストは、ＩＰＮ測定値とＲＤＰＮ測定値との間の差がドナーと隣接した基地局との間の距離より少なくともマージンだけ大きい（すなわち、ｒipn−ｒrdpn＞ｄdn＋ｄmar）ため、失敗するであろう。幾何学的テストの失敗は、ＰＮがＩＰＮとして使用される隣接した基地局からではなく中継器からＩＰＮが受信されたことを示す表示として使用されてもよい。
【０１００】
図６Ｃは、端末が中継器、ドナー基地局および隣接した基地局の接合カバレージエリアに属するシナリオを示す概略図である。このシナリオに関して、端末はＲＤＰＮおよびＩＰＮを中継器から受信し、ＤＰＮをドナー基地局から直接受信し、ＮＰＮを隣接した基地局から直接受信する。その後、端末は別個のＰＮのそれぞれに対する最初に到達したマルチパスコンポーネントを報告し、それは中継されない通路を介して受信されたＤＰＮおよびＮＰＮである。その後、ＤＰＮおよびＮＰＮはＰＤＥによって通常の方法で使用されてもよい。
【０１０１】
図６Ｄは、端末が中継器およびドナー基地局の接合カバレージエリアに属するシナリオを示す概略図である。このシナリオに関して、端末はＲＤＰＮおよびＩＰＮを中継器から受信し、ＤＰＮをドナー基地局から直接受信する。その後、端末はＤＰＮおよびＩＰＮを報告し、それはこれらのＰＮに対する最初に到達したマルチパスコンポーネントである。ＤＰＮがＲＤＰＮを発生するために中継器によってｄrepだけ遅延された場合、ＤＰＮおよびＩＰＮに対するＴＤＯＡ測定値は、ｒipn−ｒdpn＞ｄdn＋ｄmar＋ｄrepである。したがって、幾何学的テストは失敗し、この失敗は、ＩＰＮが中継器を介して受信されたことを示す表示として使用されてもよい。
【０１０２】
図６Ｅは、端末が中継器と隣接した基地局との接合カバレージエリアに属するシナリオを示す概略図である。このシナリオに関して、端末はＲＤＰＮを中継器から受信し、ＮＰＮを隣接した基地局から直接受信する。端末はＩＮＰを中継器から受信してもよいし、あるいは受信しなくてもよい。その後、端末はＮＰＮを報告し、それはこのＰＮに対する最初に到達したマルチパスコンポーネントおよびＲＤＰＮである。ＲＤＰＮおよびＮＰＮに対するＴＤＯＡ測定値は、ｒrdpn−ｒnpnまたはｒdpn＋ｄrep−ｒnpnである。
【０１０３】
中継器の遅延ｄrepが十分に大きい場合、幾何学的テストは失敗し、この失敗は中継器から得られた測定値を廃棄するために使用されてもよい。しかしながら、ＮＰＮの遅延が十分に大きい場合、あるいは中継器の遅延の大きさが不十分である場合、ＴＤＯＡ測定値は幾何学的テストを妨害しない可能性がある。その場合、ＮＰＮに関する過度の遅延により（１）中継器を介してのＩＰＮの受信と（２）隣接した基地局からの直接的なＮＰＮの受信との間を区別するために別の技術が使用されることができる。たとえば、この決定を行うために２以上のＩＰＮが使用されることができる。このような事象が発生する確率は、ＩＰＮとして使用するために適切な隣接リストＰＮを選択することによって低く維持されることができる。
【０１０４】
図６Ｅに示されているシナリオは典型的に、屋内中継器に対して発生するのではなく、屋外中継器に対して発生する。このシナリオは、専用のＰＮまたは隣接リストＰＮのいずれがＩＰＮに対して使用されるかにかかわらず発生することができる。
【０１０５】
上記の説明では、ＩＰＮはＲＤＰＮに関して正の方向において遅延されると考えられている。これは必要条件ではない。ＩＰＮはまたドナーと隣接した基地局との間の距離（ｄdn）に若干のマージン（ｄmar）を加えたものより大きい量（ｄipn）だけ負の方向において遅延されてもよい。これは次のように表されることができる：
ｄipn≧ｄdn＋ｄrep＋ｄmar          式（１１）
【０１０６】
開示されている方法および装置の１実施形態において、信号が中継器を通過していることが決定されたとき、その信号は位置決定には使用されないことを認識すべきである。これは、基地局から端末までの信号伝播時間に追加される遅延が位置決定においてエラーを発生させないことを保証する簡単で廉価な方法を提供する。すなわち、信号が基地局から送信された時間と、信号が端末によって受信された時間との間の伝播遅延は、基地局と端末との間の距離を正確には反映しないため、この遅延は位置決定において使用されてはならない。信号が通過した中継器の識別（ｉｄｅｎｔｉｆｙ）およびその中継器の位置に関する付加的な情報が利用可能である場合、その情報は端末の位置決定に使用されることができる。しかしながら、中継器を通過した信号からの情報を使用しないでも、中継器を通過しない別の信号からの情報が端末の位置決定を可能にするために十分である可能性があることを認識すべきである。どちらの場合も、信号が中継器を通過したこと、および中継器によって付加的な遅延が信号に与えられたことを知ることにより、これらの遅延は、その信号に対するタイミング情報を使用しないか、あるいはそのタイミング情報を適切に調節することにより考慮されることが可能になる。
【０１０７】
信号が中継器から送信されたか否かがＰＤＥにより決定されることができるように、端末がその端末によって受信された信号のコードをＰＤＥに提供する場合には、ＰＤＥはその信号を使用するか否かに関する決定を行って、中継器によって送信された（端末によって直接受信されない、基地局からの）信号を無視することを選択することができる。位置決定が端末において行われるか、あるいは基地局またはＰＤＥのような外部装置に送られることとなる情報を得るために端末が情報（受信された信号の相対的な位相のような）を使用する必要のある相対的な測定が行われる別の実施形態において、端末は中継器から受信された信号に関連した情報を無視することを選択することができる。
【０１０８】
図７は、開示されている方法および装置の種々の特徴および実施形態を実施することのできる端末106xのブロック図である。順方向リンクに関して、ＧＰＳ衛星、基地局および、または中継器からの信号はアンテナ712によって受信され、デュプレクサ714を通って導かれ、ＲＦ受信装置722に供給される。ＲＦ受信装置722は受信された信号を調整して（たとえば、濾波し、増幅し、下方変換して）、デジタル化し、それによってサンプルを提供する。復調装置724はサンプルを受取って、処理し（たとえば、デスプレッドし、デカバーしてパイロット復調し）、再生されたシンボルを提供する。復調装置724は、受信された信号の多くのインスタンスを処理することができ、いくつかのマルチパスに対する再生されたシンボルを結合することのできるレイク受信機を構成してもよい。受信データプロセッサ726は再生されたシンボルを復号し、受信されたフレームをチェックし、出力データを供給する。
【０１０９】
位置決定のために、ＲＦ受信機装置722は、最も強い受信されたマルチパスまたは特定のしきい値レベルを超える信号強度を有するマルチパスに対する到達時間を制御装置730に提供するように動作されることができる。ＲＦ受信機装置722からのサンプルはまた、受信された信号の品質を評価する信号品質評価装置728に提供される。信号品質は、米国特許第 5,056,109号明細書および第 5,265,119号明細書に記載されているもののような、種々のよく知られている技術を使用して評価されることができる。位置決定のために、復調装置724は、基地局から再生されたＰＮシーケンスを提供すると共に、存在するならば、中継器から再生された識別子ＰＮを提供するように動作されてもよい。
【０１１０】
ＧＰＳ受信機740はＧＰＳ信号を受信し、制御装置730によって提供されるサーチウインドウに基づいてサーチする。ＧＰＳ受信機740はＧＰＳ衛星に対する時間測定値を制御装置730に提供する。ある実施形態では、ＧＰＳ受信機740は端末106x内に含まれない。この明細書に記載されている技術は、ＧＰＳ受信機を使用しない位置決定方法に対して使用されることができる。
【０１１１】
制御装置730は、基地局および、またはＧＰＳ衛星に対する測定値、基地局に対するＰＮシーケンス、中継器に対する識別子ＰＮ、受信された信号の評価された信号品質、またはその任意の組合せを受取る。１実施形態において、測定値および識別子ＰＮはＰＤＥに返送するためにＴＸデータプロセッサ742に供給され、このＰＤＥはその情報を使用して、端末106xの位置を決定する。制御装置730はさらに信号を端末106x内の装置に直接供給して、適切な信号処理を行うことができる。たとえば、制御装置730は第１の信号を復調装置724に供給して、チップオフセットの特定の範囲にわたるＰＮのサーチを命令することができ、第２の信号はＧＰＳ衛星からの信号をサーチするためにＧＰＳ受信機740によって使用されるべきサーチウインドウを示す。
【０１１２】
復調装置724は、基地局からのパイロット基準の強いインスタンス（中継されてもよい）および識別子ＰＮ（たとえば、命令された場合）をサーチする。これは、受信されたサンプルを局部的に発生されたＰＮシーケンスと種々のオフセットで相関させることによって行われることができる。強く相関された結果は、ＰＮがそのオフセットで受信される尤度が高いことを示す。
【０１１３】
種々の方式は、復調装置724が、適切ならば、中継器からの識別子ＰＮをサーチすることを保証するように実施されてもよい。１つの方式において、識別子ＰＮはサーチされるべきＰＮシーケンスの隣接リスト中に含まれている。各アクティブ端末に対して維持される隣接リストは、典型的に、端末によって検出される強力なパイロット基準を含んでいる。別の方式では、各アクティブ端末に対する隣接リストは、ＰＤＥによって送信される。この場合、ＰＤＥは、システム内の基地局、それらに関連した中継器、および中継器に対する識別子ＰＮに関する情報を提供されることができる。その後、ＰＤＥは、適切な識別子ＰＮが各アクティブ端末に対する隣接リスト中に含まれることを確実にする。さらに別の方式においては、ＰＤＥはサーチするために、識別子ＰＮを含むＰＮのリストを端末に自動的に送信することができる。このリストは位置ロケーション関連呼のために送信されてもよい。さらに別の方式では、識別子ＰＮのリストは放送チャンネルで端末に放送されてもよい。別の方式においては、ＰＤＥは、たとえば、中継器が存在していることと、および位置決定を行うのに十分なＧＰＳ測定値が存在しないこととが知られているとき等、リクエストされたときに識別子ＰＮを端末に送信することができる。
【０１１４】
逆方向リンクに関して、データは送信（ＴＸ）データプロセッサ742によって処理され（たとえば、フォーマット化され、符号化され）、さらに変調装置（ＭＯＤ）744によって処理され（たとえば、カバーされ、拡散され）、ＲＦ  ＴＸ装置746によって調整され（たとえば、アナログ信号に変換され、増幅され、濾波され、変調され）、逆方向の変調された信号を発生する。制御装置730からの情報（たとえば、識別子ＰＮ）は変調装置744によって処理されたデータと多重化されてもよい。その後、逆方向の変調された信号は、デュプレクサ714を通って導かれ、アンテナ712を介して基地局および、または中継器に送信される。
【０１１５】
図８は、開示されている方法および装置の種々の特徴をサポートすることのできるＰＤＥ130の１実施形態のブロック図である。このＰＤＥ130はＢＳＣ120とインターフェースし、位置決定に関連する情報を交換する。
【０１１６】
逆方向リンクに関して、端末に対する逆方向の変調された信号中のデータは、中継器に送られ、基地局に送信され、ＢＳＣに送られ、ＰＤＥに提供される。ＰＤＥ内において、端末からの逆方向の変調された信号はサンプルを提供するようにトランシーバ814によって処理されて、それらサンプルは端末により送信されたデータを再生するためにＲＸデータプロセッサ822によってさらに処理される。このデータは、端末によって報告された測定値、識別子ＰＮ等の任意の組合せを含むことができる。その後、データプロセッサ822は受取られたデータを制御装置810に提供する。
【０１１７】
制御装置810はまた、付加的なデータをデータ記憶装置830（たとえば、基地局が中継されたか否か、カバレージエリアの中心、各中継器に関連付けられた遅延等を示す情報）から受取って、端末からのデータおよび記憶装置830からの付加的なデータに基づいて端末に対する位置を評価する。記憶装置830は、基地局のテーブル、それらの関連付けられた中継器（存在するならば）、ならびに各中継器に対する識別子ＰＮおよび位置評価（たとえば、カバレージエリアの中心）を記憶するために使用されてもよい。
【０１１８】
ある実施形態において、制御装置810は、全てのセクタにおける端末に対する隣接リスト中に識別子ＰＮが含まれていることを決定する。その代りに、識別子ＰＮが隣接リスト中に含まれない場合に対して、識別子ＰＮは制御装置810によって端末に提供されてもよい。その後、識別子ＰＮは、データを適切にフォーマット化してトランシーバ814に送るＴＸデータプロセッサ812に提供される。トランシーバ814はさらにデータを調整し、そのデータをＢＳＣ、基地局および（おそらく）中継器を介して端末に送る。
【０１１９】
この明細書に記載されている技術は、別の基地局およびもまたはＧＰＳ衛星からの信号が受信されなくてもよく、中継器のカバレージエリアが典型的に小さい屋内適用における位置決定に使用できるという利点を有している。ここに記載されている技術はまた屋外適用に対しても使用可能である。１実施形態において、屋外中継器は、中継器に関連付けられた遅延を決定するために較正されてもよい。屋外中継器によって送信された識別子信号は、中継された順方向の変調された信号が端末により受信された特定の中継器を識別するために使用されることができる。その後、それに応じて、この中継器のカバレージ下にある端末に対する測定値はさらに正確な測定値を得るために調節されてもよい。たとえば、中継器位置からの往復遅延（ＲＴＤ）は、中継器に関連した遅延に基づいて調節されてもよい。端末における時間オフセットはまた、中継器の遅延を反映するように更新され、それによってＧＰＳ測定値に対するさらに正確な時間基準を可能にすることができる。ここに記載されている技術はまた、重複したＰＮが端末によって観察された場合に対して使用されることができる。
【０１２０】
上述したように、屋内適用に対する中継器のカバレージエリアは典型的に小さい。中継器のカバレージエリアの中心が中継器のカバレージ内の端末に対する位置評価として与えられた場合、多くの（ほとんどでなければ）場合においてエラーは小さく、ＦＣＣによって課されたＥ−９１１指令を満足させると期待されることができる。１実施形態において、位置評価を行う責任のあるエンティティ（ＰＤＥまたは端末）はまた、中継器のカバレージエリアのサイズの評価を提供されてもよい。この場合、エンティティは位置評価の正確さにおける信用度（たとえば、それがＥ−９１１指令を満足させるか否か）を報告することが可能であってよい。
【０１２１】
明瞭化のために、上記において各中継器に対する識別コードは、特定の（ＰＮ  ＩＮＣ）オフセットにおいてＰＮシーケンスにより構成されているものとして説明されている。中継器に対する識別コードはまた種々の別の方法で構成されてもよい。たとえば、識別コードはまた任意のＰＮシーケンス（また、ＣＤＭＡシステムにおいて拡散するために使用されるＰＮシーケンスは同じである必要はない）、ゴールドコード、中継される信号に関して変調されることのできる任意の低いデータレートのコード等により構成されてもよい。中継器に対する識別コードは、端末において観察されるときシステム時間と整列されてもよいし、あるいは整列されなくてもよい。
【０１２２】
明瞭化のために、とくにＩＳ−９５  ＣＤＭＡシステムに対して種々の特徴および実施形態を説明してきた。ここに記載されている技術はまた、別のタイプのＣＤＭＡシステムおよび別の非ＣＤＭＡシステムに対して使用されることができる。たとえば、ＷＣＤＭＡシステム、ｃｄｍａ２０００システム等に対してもまた、中継器を識別するために識別コード（識別子ＰＮ）が使用されることができる。中継器識別のための識別コードはまた、ＧＳＭシステムに対して使用されてもよい。ＧＳＭシステムに対して、識別コードは、順方向の変調された信号に対して使用される同じ周波数ではなく、異なった周波数において“ダミー（dummy）”チャンネル（所定のオフセットを有する、あるいは有しない）で送信されることができる。異なった周波数上の異なったチャンネルは、セクタまたは地理的エリア内の各中継器に対して使用されてもよいし、あるいは中継器は所定のチャンネルで送信されたデータによって、あるいはチャンネルのオフセットによって区別されてもよい。
【０１２３】
識別コードはまた、ＣＤＭＡチャンネル内における任意のスペクトラム拡散通信技術を使用して、あるいはある別の通信技術を使用して送信されてもよい。上述された実施形態において、中継器に対する識別コードは、中継器によって順方向の変調された信号と同時に送られる。ある別の実施形態において、中継器に対する識別コードは、たとえば、同時に動作する無線システムのような別の“ローカル”システムで送信されることができる。１つのこのような無線システムは無線ＬＡＮ  ＩＥＥＥ−８０２．１１システムである。
【０１２４】
別の方式はまた、無線通信システム内の中継器を識別するために使用されてもよい。１つの方式において、システムおよび端末がマルチパスプロファイルを報告することができる場合、識別しているマルチパスプロファイルは、たとえば、順方向の変調された信号に基づいて生成され、中継器識別のために使用されることができる。ＣＤＭＡ端末は典型的に、信号路において反射されたものから生じる可能性のある受信された信号の多くのインスタンスを処理することができる。マルチパスは典型的に端末によって復調され結合されてシンボルを提供し、これらシンボルはその後復号される。マルチパスのプロファイルが報告されることができる場合、各中継器は識別子信号の代りに特定のマルチパスプロファイルと関連付けられてもよい。
【０１２５】
各中継器に対するマルチパスプロファイルは、種々の方法で発生されてもよい。１実施形態において、順方向の変調された信号は多くの特定の値だけ遅延され（および、おそらく、減衰され）、多くの遅延された信号が結合され、端末に送信される。マルチパスの数および各マルチパスに対する遅延の量は、特有のマルチパスプロファイルが生成され、各中継器を特定的に識別するために使用されることができるように選択されてもよい。別の実施形態においては、識別子ＰＮは多くの特定チップオフセットだけ遅延されることができ、遅延されたＰＮシーケンスはマルチパスプロファイルを提供するように結合されることができる。この実施形態については、マルチパスプロファイルを発生するために、サービスしている基地局のＰＮシーケンス（識別子ＰＮの代りに）が使用されてもよい。
【０１２６】
中継器識別はまた、サービスしている基地局からのＣＤＭＡチャンネルと整列されることのできる補助的な低いレートのＣＤＭＡチャンネルによって送信されてもよい。その後、中継器に対する識別コードは低いレートのチャンネルによりデータとして送信されてもよい。
【０１２７】
この明細書に記載されている識別子信号の使用による上述の利点に加えて、別の利点は、音声呼を遮断する必要なしに位置評価を決定する能力である。ＩＳ-８０１規格によると、端末がその端末の位置を評価するようにＧＰＳからの支援に対するリクエストを送ったときに、パイロット測定値はＰＤＥに送られる。端末によって報告されたＰＮシーケンスのリスト内の識別子ＰＮをＰＤＥが認識した場合、端末は中継器のカバレージに属しており、いずれにしてもＧＰＳ信号を受信することはできないため、ＧＰＳ測定を行う必要がない可能性が高い。さらに、端末に対する位置評価は識別子ＰＮだけに基づいて必要とされる正確度に決定されてもよい（たとえば、端末の位置は中継器のカバレージエリアの中心として評価されてもよい）。この場合、識別子ＰＮは、端末が識別子ＰＮをサーチするように中継器を使用する全ての基地局の隣接リスト中に含まれる。その代りに、ＰＤＥが、端末によって受信された信号が中継器によって送信されたものであると予想する理由を有している場合、その端末にＧＰＳ支援情報を送る前に、識別子ＰＮのリストが送られることができる。
【０１２８】
この明細書に記載されている技術を実施するために使用される中継器の素子のいくつか（たとえば、ＰＮ発生器、制御装置およびアップコンバータ）は、この明細書に記載されている機能を実行するように設計されたデジタル信号プロセッサ（ＤＳＰ）、特定用途向け集積回路（ＡＳＩＣ）、プロセッサ、マイクロプロセッサ、制御装置、マイクロ制御装置、フィールドプログラム可能なゲートアレイ（ＦＰＧＡ）、プログラム可能な論理装置、別の電子装置、またはその任意の組合せによって実施されてもよい。開示されている方法および装置のある定まった特徴は、ハードウェア、ソフトウェア、またはその両者の組合せで実施されてもよい。たとえば、アクティブな端末のそれぞれに対して隣接リストを形成するための処理、端末の位置の評価等は、メモリ装置内に記憶されているプログラムコードに基づいて行われ、プロセッサ（図８中の制御装置810）によって実行されてもよい。
【０１２９】
開示されている実施形態の上記の説明は、当業者がこの明細書に開示されている方法および装置を形成または使用することを可能にするために示されている。これらの実施形態に対する種々の修正は当業者により容易に認識され、ここに規定されている一般原理は本発明の技術的範囲を逸脱することなく別の実施形態に適応されることができる。したがって、本発明はここに示されている実施形態に制限されるものではなく、ここに開示されている原理および新しい特徴に一致する広い技術範囲を与えられている。
【図面の簡単な説明】
【０１３０】
【図１Ａ】中継器を使用し、開示されている方法および装置の種々の特徴および実施形態を実施することのできる無線通信システムの概略図。
【図１Ｂ】建造物に対するカバレージを提供するための中継器の使用を示す概略図。
【図２】基地局においてパイロット基準を発生すると共にデータを拡散するために使用されるＰＮシーケンスに対するインデックスを示す概略図。
【図３】開示されている方法および装置の１実施形態を実施することのできる中継器の１実施形態の概略図。
【図４Ａ】識別子信号を生成して順方向の変調された信号と結合し、それによって結合された信号を提供するために使用されることのできるモジュールの１実施形態の概略図。
【図４Ｂ】識別子信号を生成して順方向の変調された信号と結合し、それによって結合された信号を提供するために使用されることのできるモジュールの１実施形態の概略図。
【図４Ｃ】識別子信号を生成して順方向の変調された信号と結合し、それによって結合された信号を提供するために使用されることのできるモジュールの１実施形態の概略図。
【図５Ａ】特定の中継器の遠隔装置から受信されることのできる信号を示す概略図。
【図５Ｂ】特定の中継器のドナー基地局および遠隔装置から受信されることのできる信号を示す概略図。
【図５Ｃ】ある方式に基づいて導出されたチップオフセットだけ遅延される多数の遠隔装置に対する識別子信号を示す概略図。
【図５Ｄ】別の方式に基づいて導出された別のチップオフセットだけ遅延される多数の遠隔装置に対する識別子信号を示す概略図。
【図６Ａ】到達時間差（ＴＤＯＡ）測定に対する幾何学的制約を示す概略図。
【図６Ｂ】識別子ＰＮとして隣接リストＰＮを使用することに基づく端末のシナリオを示す概略図。
【図６Ｃ】識別子ＰＮとして隣接リストＰＮを使用することに基づく端末のシナリオを示す概略図。
【図６Ｄ】識別子ＰＮとして隣接リストＰＮを使用することに基づく端末のシナリオを示す概略図。
【図６Ｅ】識別子ＰＮとして隣接リストＰＮを使用することに基づく端末のシナリオを示す概略図。
【図７】開示されている方法および装置の種々の特徴および実施形態を実施することのできる端末のブロック図。
【図８】開示されている方法および装置により使用される位置決定エンティティ（ＰＥＤ）の１実施形態のブロック図。
【図１Ａ】
2004532576.tif 000010
【図１Ｂ】
2004532576.tif 000011
【図２】
2004532576.tif 000012
【図３】
2004532576.tif 000013
【図４Ａ】
2004532576.tif 000014
【図４Ｂ】
2004532576.tif 000015
【図４Ｃ】
2004532576.tif 000016
【図５Ａ】
2004532576.tif 000017
【図５Ｂ】
2004532576.tif 000018
【図５Ｃ】
2004532576.tif 000019
【図５Ｄ】
2004532576.tif 000020
【図６Ａ】
2004532576.tif 000021
【図６Ｂ】
2004532576.tif 000022
【図６Ｃ】
2004532576.tif 000023
【図６Ｄ】
2004532576.tif 000024
【図６Ｅ】
2004532576.tif 000025
【図７】
2004532576.tif 000026
【図８】
2004532576.tif 000027
【国際公開パンフレット】
2004532576.tif 000028
2004532576.tif 000029
2004532576.tif 000030
2004532576.tif 000031
2004532576.tif 000032
2004532576.tif 000033
2004532576.tif 000034
2004532576.tif 000035
2004532576.tif 000036
2004532576.tif 000037
2004532576.tif 000038
2004532576.tif 000039
2004532576.tif 000040
2004532576.tif 000041
2004532576.tif 000042
2004532576.tif 000043
2004532576.tif 000044
2004532576.tif 000045
2004532576.tif 000046
2004532576.tif 000047
2004532576.tif 000048
2004532576.tif 000049
2004532576.tif 000050
2004532576.tif 000051
2004532576.tif 000052
2004532576.tif 000053
2004532576.tif 000054
2004532576.tif 000055
2004532576.tif 000056
2004532576.tif 000057
2004532576.tif 000058
2004532576.tif 000059
2004532576.tif 000060
2004532576.tif 000061
2004532576.tif 000062
2004532576.tif 000063
2004532576.tif 000064
2004532576.tif 000065
2004532576.tif 000066
2004532576.tif 000067
2004532576.tif 000068
2004532576.tif 000069
2004532576.tif 000070
2004532576.tif 000071
2004532576.tif 000072
2004532576.tif 000073
2004532576.tif 000074
2004532576.tif 000075
2004532576.tif 000076
2004532576.tif 000077
2004532576.tif 000078
2004532576.tif 000079
2004532576.tif 000080
2004532576.tif 000081
2004532576.tif 000082
2004532576.tif 000083
2004532576.tif 000084
2004532576.tif 000085
2004532576.tif 000086
2004532576.tif 000087
【国際公開パンフレット（コレクトバージョン）】
2004532576.tif 000088
2004532576.tif 000089
【国際調査報告】
2004532576.tif 000090
2004532576.tif 000091
2004532576.tif 000092